(57)【要約】本発明は、少なくとも１つの低残留界面活性剤及び／又はアルキルエトキシレート界面活性剤と、ポリマービグアニドとを含み、且つｐＨが約７未満である硬質面処理用組成物に関する。【特許請求の範囲】
【請求項１】
少なくとも１つの低残留界面活性剤及び／又はアルキルエトキシレート界面活性剤と、ポリマービクアニドとを含み、且つｐＨが７以下である硬質面処理用組成物。
【請求項２】
前記ｐＨが５〜７であり、低残留界面活性剤がＣ８〜Ｃ１６アルキルポリグリコシドである、請求項１に記載の組成物。
【請求項３】
有機酸性化剤、好ましくは酒石酸、乳酸及びクエン酸、並びにこれらの混合物から成る群から選択される有機酸性化剤、より好ましくはクエン酸を使用することによって前記ｐＨが実現される、請求項１又は２に記載の組成物。
【請求項４】
前記低残留界面活性剤が、双性イオン性界面活性剤、両性イオン性界面活性剤、及び少なくとも１つの糖部分を含む非イオン性界面活性剤、並びにこれらの混合物から成る群から選択され；好ましくは前記低残留界面活性剤が、スルホベタイン、両性グリシネート、両性プロピオネート、ベタイン、ポリアルキルグリコシド、スクロースエステル、及びこれらの混合物から成る群から選択され、より好ましくは前記低残留界面活性剤が、スルホベタイン及びポリアルキルグリコシド、並びにこれらの混合物から成る群から選択される、請求項１〜３のいずれか一項に記載の組成物。
【請求項５】
前記アルキルエトキシレート界面活性剤が、疎水性鎖長に８〜１８個の炭素原子と、界面活性剤分子につき平均１〜１５個のエチレンオキシド部分とを含むもの、及びこれらの混合物から成る群から選択される、請求項１〜４のいずれか一項に記載の組成物。
【請求項６】
前記ポリマービクアニドが、オリゴヘキサメチレンビグアニド、ポリヘキサメチレンビグアニド、これらの塩、又はこれらの混合物であり、好ましくは前記ポリマービクアニドがポリ（ヘキサメチレンビグアニド）塩酸塩である、請求項１〜５のいずれか一項に記載の組成物。
【請求項７】
０．０１〜３０％の酸性化剤を使用することによって前記ｐＨが実現され；前記低残留界面活性剤及び／又はアルキルエトキシレート界面活性剤の濃度が０．０１〜１５％であり；ビグアニドの濃度が０．０１〜２０％であり；水性組成物のｐＨが０．５〜７である、請求項１〜６のいずれか一項に記載の組成物。
【請求項８】
推奨使用濃度において、前記有機酸性化剤の濃度が、０．０１〜３．０％、好ましくは０．０５〜２．０％、より好ましくは０．１〜１．０％であり；前記低残留界面活性剤及び／又はアルキルエトキシレート界面活性剤の濃度が、０．０１〜１．５％、好ましくは０．０１〜１．０％、より好ましくは０．０３〜０．７５％であり；前記ポリマービグアニドの濃度が、０．０１〜２．０％、好ましくは０．０１〜１．０％、より好ましくは０．０２〜０．７５％であり；水性組成物のｐＨが、０．５〜７、好ましくは１．０〜６．０、より好ましくは２．０〜５．５である、請求項３に記載の組成物。
【請求項９】
固体の合計濃度が水性組成物の３重量％以下である、請求項１〜８のいずれか一項に記載の組成物。
【請求項１０】
０．５〜２５％の溶媒又はその混合物を更に含む、請求項１〜９のいずれか一項に記載の組成物。
【請求項１１】
前記溶媒の蒸気圧が６．６６Ｐａ（２５℃及び大気圧において０．０５ｍｍＨｇ）である、請求項１０に記載の組成物。
【請求項１２】
ヒドロトロープ又はその混合物、好ましくは疎水基に８〜１８個の炭素原子と、疎水基につき少なくとも平均１５個のエトキシレート基とを含むアルキルエトキシレート及びこれらの混合物から成る群から選択されるヒドロトロープを更に含む、請求項１〜１１のいずれか一項に記載の組成物。
【請求項１３】
ＢＹＫ−ガードナー社のガードナー・マイクロ−ＴＲＩ−グロス光沢測定器（登録商標）を６０°の角度に設定して測定する時に、洗浄済みの未処理タイルと比較して、組成物が９５％の信頼水準で有意性のあるタイル光沢の損失を発生させないような光沢測定器の測定値を有する前記組成物で処理されたエクストラコンパ（登録商標）黒色光沢セラミックタイルを提供するために、前記界面活性剤が選択される、請求項１〜１２のいずれか一項に記載の組成物。
【請求項１４】
ＢＹＫ−ガードナー社のガードナー・マイクロ−ＴＲＩ−グロス光沢測定器（登録商標）を６０°の角度に設定して測定する時に、ポリマービグアニドを含まない同成分の組成物と比較して、組成物が９５％の信頼水準で有意性のある光沢を増大させるような光沢測定器の測定値を有する前記組成物で処理されたエクストラコンパ（登録商標）黒色光沢セラミックタイルを提供するために、前記界面活性剤が選択される、請求項１〜１２のいずれか一項に記載の組成物。
【請求項１５】
硬質面の洗浄方法であって、請求項１〜１４のいずれか一項に記載の水性組成物を前記表面に接触させる工程を含む方法。
【請求項１６】
前記方法が、前記水性組成物を前記表面に接触させる工程の間及び／又は後に、前記表面を拭き取る工程を更に含み、好ましくは前記表面を拭き取る工程が、スポンジ、布巾、紐状セルロース若しくは帯状セルロース、洗浄用ペーパー若しくは市販のペーパータオル、又は予備湿潤拭き取り積層体若しくは使い捨て吸収性洗浄パッドから成る群から選択される洗浄用具を前記表面に接触させることにより行われる、請求項１５に記載の硬質面の洗浄方法。
【請求項１７】
前記表面を拭き取る前、及び／又は拭き取っている間に、前記洗浄用具の上に前記水性組成物を適用、好ましくはスプレーする、請求項１５又は１６に記載の洗浄方法。
【請求項１８】
表面洗浄が、スポンジ、布巾、ブラシ、ペーパー、又はペーパータオルと共に前記液体組成物を使用して達成される、請求項１５に記載の洗浄方法。
【発明の詳細な説明】
【技術分野】
【０００１】
本発明は、表面処理用抗菌組成物、特に水性液体組成物に関するものである。この組成物はポリマービグアニドを含む。本発明の水性組成物は、標準的な光沢測定器を使用して測定する時、膜／縞模様の形成に関する優れた特性及び優れた光沢の保持／向上特性を示し、その上優れた消毒及び／又は抗菌効果を提供することが見いだされた。
【背景技術】
【０００２】
台所や浴室の表面、眼鏡、産業分野で洗浄が必要な表面（機械や自動車の表面など）といった硬質面を処理するための液体組成物は、当該技術分野において既知である。このような組成物は、そのままの洗浄運用で、又は希釈状態で使用することができる。このような組成物は、従来型の拭き取り用製品と共に、又は、最近では使い捨て吸収性洗浄パッドと共に使用することが多い。
【０００３】
従来型の拭き取り用製品とは、典型的には、天然スポンジ又は合成スポンジ、ソフトパッド又は研磨パッド、ブラシ、布巾、ペーパータオルである。これらの拭き取り用製品は、所望であるなら、届きにくい部分に届くように、又は、住居、職場環境、又は商業施設若しくは公共施設の内部か外部かを問わず、その床、壁、又はその他の広い領域の表面を洗浄するために、ハンドルを備えた洗浄装置と共に使用することができる。これらの装置には、スポンジモップ、紐状モップ、帯状モップなどのように、ハンドルと組み合わせて又はハンドルに組み込まれている拭き取り要素を更に有していてもよい。
【０００４】
積層体の形態の予備湿潤拭き取り洗浄製品が市販されている。その例としてはSwiffer Wet（登録商標）があるが、これは、数箇所の点で固着するタイプのフロアシートに染み込ませる水性組成物、セルロース製貯蔵コア、スパボンド製装着シートを含む三重積層構造の拭き取り用品である。このような製品は、ＷＯ２０００−２０００ＵＳ２６４０１号に更に詳述されており、これは参考として本明細書に組み込まれている。
【０００５】
使い捨て吸収性洗浄パッドによって、優れた最終結果を出すための新たな洗浄方法が提示されている。この使い捨てパッドは、汚れを遊離させるだけでなく、汚れた溶液を従来型の洗浄用具や予備湿潤拭き取り用品よりも多く吸収する点で有益である。従って、表面に残る残留物が減少し、乾きも速くなる。超吸収性ポリマーを含む使い捨てパッド（すなわち、使い捨て吸収性洗浄パッド）を使用すると、そのポリマーのおかげでパッドの耐久性、寿命、再利用性、及び経済的価値が高まるため、特に有益である。このようなパッドは、米国特許第６，０４８，１２３号、米国特許第６，００３，１９１号、米国特許第５，９６０，５０８号、及び米国特許第６，１０１，６６１号に開示されており、これらは参考として本明細書に組み込まれている。このパッドは、単独製品として、又はハンドルを備えた装置、特に床表面を洗浄するための装置と共に使用することができる。このような製品の例としては、Procter and GambleがSwiffer WETJET（登録商標）という名称で現在販売しているものがある。
【０００６】
硬質面の処理において一般的に知られている問題は、処理した表面上に膜及び／又は縞模様が形成されることである。実際、液体組成物で硬質面を処理して乾燥させると、目に見える残留物（縞模様）及び／又は光沢を低減させる膜がよく見られる。
【０００７】
更に、表面の拭き取り及び洗浄用の組成物に抗菌剤を加えると、前記表面上に膜／縞模様が形成される傾向が強くなる。膜／縞模様の形成は、磁器やクロムなどの光沢性金属表面、タイルといった、光沢のある表面を処理する場合に特に問題となる。
【発明の開示】
【発明が解決しようとする課題】
【０００８】
従って、本発明の目的は、膜／縞模様の形成に関する性能効果（縞模様及び／又は膜の形成が少ないか、実質的に形成されない効果）を示す組成物を提供することである。
【０００９】
現在、ｐＨが約７以下であり、且つ少なくとも１つの低残留界面活性剤及び／又はアルキルエトキシレート界面活性剤と、ポリマービグアニドとを含む硬質面処理用組成物によって、上記の目的を達成できることがわかっている。
【００１０】
本発明の利点は、スポンジ、布巾、雑巾、ペーパータオルなどと共に使用できる水性組成物を希釈可能な又はそのままの形態で提供することである。このような製品は、単独製品として機能を発揮したり、スポンジモップ、紐状モップ、帯状モップを含む従来型の洗浄装置と共に使用したり、ハンドルとモップヘッドを備えた洗浄装置に任意的に装着される使い捨て吸収性洗浄パッドと共に使用したりできる。
【００１１】
本発明の別の利点は、界面活性剤と組成物のｐＨを適切に選択することにより、洗浄済みの未処理タイルや、ポリマービグアニドを含まない基本組成物で処理したタイルとの比較において、タイルの光沢を向上させることができる点である。
【００１２】
本発明の更に別の利点は、消毒又は抗菌効果のある組成物であって、目に見える残留物を硬質面にわずかしか残さない、又は全く残さない組成物を提供する点である。これらの組成物は更に、スポンジ、紐状セルロース又は帯状セルロース、洗浄ペーパー、又は市販のペーパータオル、又は使い捨て吸収性洗浄パッド若しくは基材といった洗浄用具（洗浄装置（定義は後述する）の有無は問わない）と共に使用することができる。
【００１３】
有益なことに、本発明の組成物は、つやだし加工セラミックタイル、非つやだし加工セラミックタイル、ビニル、ノーワックスビニル、リノリウム、メラミン、ガラス、プラスチック、プラスチック木材などの種々の材料で構成されている、光沢性や非光沢性の硬質面の処理に使用可能である。
【００１４】
本発明の更なる利点は、異なる種類のしみや汚れに対して優れた洗浄性能を発揮する点である。
【００１５】
（背景技術）
ポリマービグアニドを含む水性組成物は、当該技術分野において既知である。例えば、ＷＯ９８／５６２５３号では、担体と、４〜３０個の炭素原子を含有する有機酸を持つ塩の形態のポリマービグアニド化合物（ポリ（ヘキサメチレンビグアニド）ステアレートなど）を含む組成物が開示されている。ポリ（ヘキサメチレンビグアニド）を含むこれらの組成物は、高い抗菌性、特に抗菌活性を示し、有機媒体、特に有機液体における高い溶解度を示す。米国特許第５，１４１，８０３号では、硬質面に使用される、抗菌性のビグアニド化合物を含有する組成物が開示されている。欧州特許第０，１８５，９７０号では、硬質面に使用される、特定のオリゴヘキサメチルビグアニド、特定の殺菌性活性フェノール化合物、及び任意選択的にビルダーを含む液体消毒製剤について記載されている。米国特許第６，０４５，８１７号では、（１）０．００１５以上の電荷密度を有する０．０５〜１％の陽イオン性ポリマー、（２）０．２〜５％の双性イオン性界面活性剤、及び（３）０．２〜５％のビグアニド化合物を含む抗菌洗浄組成物（ｐＨ≧７．５）が開示されている。
【００１６】
昨今は、抗菌効果を発揮する低残留組成物の調査及び特定のために多くの労力が注がれてきた。例えば、米国特許第６，１５９，９２４号、米国特許第６，０９０，７７１号、及び米国特許第５，９２９，０１６号では、四級アミン化合物、有機溶媒系、及び特定の界面活性剤の組み合わせを含む硬質面洗浄用低残留水性組成物が開示されている。しかし、当該技術分野における組成物はいずれも、完全に満足できるものではないことがわかっている。
【課題を解決するための手段】
【００１７】
本発明は、（ｉ）ｐＨが約７以下であり、且つ（ｉｉ）少なくとも約１つの低残留界面活性剤及び／又はアルキルエトキシレート界面活性剤と、（ｉｉｉ）ポリマービグアニドとを含む水性液体組成物に関するものである。
【００１８】
この組成物は、酸及びアルカリの影響を受けやすい汚れに対する優れた洗浄特性、及び種々の硬質面上で、膜／縞模様の形成に関する優れた特性を実現させると同時に、消費者の自宅、公共領域、及び商業施設で問題となるグラム陽性菌やグラム陰性菌に対して高い殺菌効果を示す。
【００１９】
従って、本発明の組成物は、種々の表面、好ましくは硬質面の拭き取りや洗浄に使用するのが好ましい。
【発明を実施するための最良の形態】
【００２０】
（定義）
「洗浄用具」とは、表面を洗浄するために使用される道具を意味する。洗浄用具は、本発明の定義においては、洗浄する表面に直接接触するものでなければならない。洗浄用具には、スポンジ、布巾、紐状セルロース又は帯状セルロース、紙、又は市販のペーパータオルといった従来型の洗浄補助用品や、床拭き用積層体、使い捨て吸収性洗浄パッドといった新種の洗浄用品が含まれる。
【００２１】
「装置」又は「洗浄装置」とは、洗浄用具と共に使用して、洗浄作業をより容易、効率的、又は利便的に行えるようにする道具を意味する。洗浄装置は、モップヘッド、短い取り付けポール又は長い取り付けポール（モップヘッドの有無は問わない）、又はいずれかの可能な方法で洗浄用具を取り付けるためのその他の手段から成る。
【００２２】
「吸収剤」とは、１ｇ当たり少なくとも１ｇの脱イオン物質を吸収できる物質又は積層体を意味する。
【００２３】
「使い捨て吸収性洗浄パッド」とは、典型的には洗浄作業で使用され、作業後に処分される吸収性パッドを意味する。使い捨て吸収性洗浄パッドは、単層構造の吸収性乾燥不繊布から多層構造の吸収性合成物まで広範囲にわたる。パッドのデザインの中には、使用、保管、再利用が可能なものもあることが理解されるが、再利用の回数は限られており、典型的には、その回数は、液体及び／又は汚れをパッドが吸収し続ける能力によって決まる。スポンジモップ、帯状モップ及び紐状モップなどの、完全に再利用可能であると考えられている従来のシステムとは異なり、使い捨て吸収性パッドは、一度飽和状態になると、元の状態に戻すために消費者が逆戻りさせるようには設計されていない。
【００２４】
（水性組成物）
本発明の組成物は、液体組成物として配合される。本明細書の好ましい組成物は水性組成物であるため、好ましくは水を含み、より好ましくは、組成物全体の約５０〜約９９重量％、更により好ましくは約６０〜約９８重量％、最も好ましくは約７０〜約９７重量％の水を含む。
【００２５】
本発明の水性組成物は、組成物と該当する硬質面との接触角を小さくするために、約７以下のｐＨと少なくとも約１つの界面活性剤を含み、これは硬質面を湿潤させる助けとなる。組成物はポリマービグアニド化合物も含み、ポリマービグアニドは、界面活性剤が存在する場合に親水性湿潤剤として作用し、好ましくは抗菌化合物として作用する。好ましい実施形態では、本明細書で後述するように、界面活性剤は低残留界面活性剤である。非常に好ましい別の実施形態では、水性組成物は、１大気圧で約０．０５ｍｍＨｇ（約６．６６Ｐａ）を超える蒸気圧を有する水溶性溶媒も少なくとも１つ含む。
【００２６】
本発明の水性組成物の固体含有量は、使用濃度では一般に低く、好ましくは約０〜約４％、より好ましくは約０．０５〜約３％、最も好ましくは約０．１０〜約２.０％である。当該技術分野の技術者であれば、本発明の水性組成物は、約５倍、約１０倍、又は所望であれば更に高濃度の形態で製造して、使用前に希釈できることが理解できるであろう。これは特に、バケツ又はその他の容器内で希釈する液体として水性組成物を販売する場合に予想される。高濃度溶液を製造することは、水性組成物を輸送する必要がある場合にも有益であり得る。
【００２７】
（組成物のｐＨ）
水性組成物は約７以下のｐＨを有する。約７を超えるｐＨでは、膜及び縞模様の形成に関する効果は確認されず、又は実質的にこの効果が低下することがわかっている。組成物のｐＨは、好ましくは約０．５〜約７、より好ましくは約１．０〜約６、より好ましくは約２〜約５．５、最も好ましくは約２．５〜約５の範囲である。
【００２８】
ある好ましい実施形態では、水性組成物は約５〜約７のｐＨを有し、酸性化剤を含まない。この実施形態では、水性組成物にＣ８〜Ｃ１６ポリアルキルグリコシドから成る群から選択される界面活性剤が少なくとも１つ含まれる場合に、本発明の効果が最も顕著に現れる。
【００２９】
（酸性化剤）
本明細書における水性組成物に少なくとも１つの酸性化剤が含まれる好ましい実施形態では、組成物のｐＨ範囲は、好ましくは約０．５〜約７、より好ましくは約１．０〜約６、より好ましくは約２〜約５．５、最も好ましくは約２．５〜約５である。本明細書で使用するのに好ましい酸は、有機酸及び／又は無機酸であり、最も好ましくは有機酸である。好適な有機酸はモノマー、オリゴマー、又はポリマーの有機酸である。
【００３０】
好適な有機酸の例には、酢酸、グリコール酸、乳酸、コハク酸、アジピン酸、リンゴ酸、酒石酸、乳酸、ポリアクリル酸、ポリアスパラギン酸などが含まれる。非常に好ましい有機酸は、コハク酸、グルタル酸、アジピン酸、乳酸、酒石酸、及びクエン酸から成る群から選択される。コスト、有用性、緩衝能、及び規制の点で、クエン酸が最も好ましい（食品等級が望ましいが、必須ではない）。
【００３１】
製品で使用される有機酸の典型的な濃度は、組成物全体の約０．０１〜約３０重量％、好ましくは約０．０５〜約１０重量％、より好ましくは約０．１〜約７．５重量％である。実際の製品使用濃度では、製品の推奨希釈率がある場合にはそれに従うが、有機酸の典型的な濃度は、組成物全体の約０．０１〜約３重量％、好ましくは約０．０５〜約２重量％、より好ましくは約０．１〜約０．７５重量％である。酸の具体的な濃度は、求められる効果の程度と種類に応じて決まるであろう。高濃度であれば、酸の影響を受けやすい汚れに対する洗浄力が向上し、低濃度であれば、膜及び縞模様の形成に関する特性が向上する。十分な緩衝能、優れた洗浄力、及び膜／縞模様の形成に関する優れた特性を併せ持つための、最も好ましい濃度が見いだされた。そのようなものには、クエン酸、酒石酸、及び乳酸から成る群から選択される有機酸が非常に好ましい。
【００３２】
好ましい実施形態では、組成物は、頑固な水あか、石灰かす、及び／又は石鹸かすなどで汚れた硬質面に適用される。このような汚れは、浴室の表面で見られることが多い。従って、本明細書における組成物は、ｐＨを適切に調整する酸又は塩基の緩衝液を更に含むことができる。
【００３３】
（低残留界面活性剤）
特に好ましい実施形態では、本発明の組成物は、低残留界面活性剤又はこの混合物を含む。
【００３４】
本明細書において、「低残留界面活性剤」とは、前記界面活性剤を含む水性組成物が蒸発した後の縞模様又は膜の出現を軽減する界面活性剤を意味する。光沢測定器の測定値又は専門家による目視等級の測定値を使用して、低残留界面活性剤を含有する組成物を特定することができる。低残留界面活性剤として認められる条件は、（ａ）黒色光沢磁器タイル、好ましくは本発明で使用されているExtracompa（登録商標）黒色光沢磁器タイル上の光沢の損失が約１．５％未満、又は（ｂ）当業者により、膜及び縞模様の著しい形成が確認されないことである。低残留界面活性剤の重要な利点の１つは、非低残留界面活性剤に比べて、光沢を高めるためのポリマービグアニド化合物が少なくて済むことである。このことは、コストの問題、高濃度のポリマービグアニドにより発生する可能性があるべたつきの問題、及び／又は、より高濃度なポリマービグアニドの膜を完全に除去できるかどうかの問題を考慮すれば、重要であり得る。
【００３５】
理論に縛られたくはないが、低残留界面活性剤は分子間の凝集を低下させる傾向があると考えられている。水性組成物から水が蒸発した後に、目に見える巨大分子錯体を形成する、界面活性剤分子の凝集が減少すると、残った残留物は目に見えにくくなり、縞模様の形成が減少する。豊富な相化学を示すアルキルエトキシレート及びアルキルフェノールエトキシレートなどの従来の非イオン性界面活性剤とは異なり、「低残留」界面活性剤では水中で容易に異方性巨大分子構造が形成されない。これは、乾燥時に溶液から形成される膜を目に見えにくくするのを助ける。実際には、残留物はほとんど無色に見え、基本的に肉眼では見えない膜、又は場合によっては、処理したタイルの光沢を高める膜が形成される。
【００３６】
本発明で認められる低残留界面活性剤は、選択された非イオン性界面活性剤、双性イオン性界面活性剤、及び両性イオン系界面活性剤の３種類、及びこれらの混合物である。低残留界面活性剤の１つは、１以上の糖部分から成る先端基を含む非イオン性界面活性剤の群である。この例には、アルキルポリグリコシド、特にポリアルキルグルコシド、及びスクロースエステルが挙げられる。これら非イオン性界面活性剤の鎖長は、好ましくは約Ｃ６〜約Ｃ１８、より好ましくは約Ｃ８〜Ｃ１６である。これらの界面活性剤の親水性成分は、好ましくはグリコシド結合により結合する（liked）１以上の糖部分を含むことができる。好ましい実施形態では、界面活性剤の鎖長当たりの糖部分の平均数は約１〜約３個、より好ましくは約１．１〜約２．２である。
【００３７】
最も好ましい非イオン性低残留界面活性剤は、米国特許第５，７７６，８７２号「Cleansing compositions」（１９９８年７月７日、Giret, Michel Joseph、Langlois, Anne、及びDuke, Roland Philipに発行）、米国特許第５，８８３，０５９号「Three in one ultra mild lathering antibacterial liquid personal cleansing composition」（１９９９年３月１６日、Furman, Christopher Allen、Giret, Michel Joseph、及びDunbar, James Charlesらに発行）、米国特許第５，８８３，０６２号「Manual dishwashing compositions」（１９９９年３月１６日、Addison, Michael Crombie、Foley, Peter Robert、及びAllsebrook, Andrew Michealに発行）、及び米国特許第５，９０６，９７３号「Process for cleaning vertical or inclined hard surfaces」（１９９９年５月２５日、Ouzounis, Dimitrios及びNierhaus, Wolfgangに発行）に開示されているアルキル多糖類である。
【００３８】
本明細書で使用される好適なアルキルポリグルコシドは、米国特許第４，５６５，６４７号（Lenado、１９８６年１月２１日発行）に開示されており、約６〜約３０個の炭素原子、好ましくは約１０〜約１６個の炭素原子を含有する疎水性基と、約１．３〜約１０、好ましくは約１．３〜約３、最も好ましくは約１．３〜約２．７の糖単位を含有する多糖類、例えばポリグリコシドの親水性基とを有している。約５個又は約６個の炭素原子を含有するいかなる還元糖（例えばグルコース、ガラクトース）も使用でき、グルコシル部分をガラクトシル部分で置換してもよい。（任意選択的に疎水性基を２、３、４などの位置に付着させ、グルコシド又はガラクトシドに対立するものとしてグルコース又はガラクトースを生じさせる。）糖間結合は、例えば、付加させる糖単位の１つの位置と、元の糖単位の２、３、４、及び／又は６位との間で形成させることができる。グリコシルは好ましくはグルコースに由来する。
【００３９】
任意選択的に、疎水部分と多糖類部分とを結合させるポリアルキレンオキシド鎖が存在してもよい。好ましいアルキレンオキシドはエチレンオキシドである。典型的な疎水基としては、約８〜約１８個、好ましくは約１０〜約１６個の炭素原子を含有する飽和又は不飽和、分枝鎖又は非分枝鎖アルキル基がある。好ましくは、アルキル基は、約３個までのヒドロキシ基を含有することができ、及び／又はポリアルキレンオキシド鎖は約１０まで、好ましくは５未満のアルキレンオキシド部分を含有することができる。好適なアルキル多糖類はオクチル、ノニルデシル、ウンデシルドデシル、トリデシル、テトラデシル、ペンタデシル、ヘキサデシル、ヘプタデシル、オクタデシル、ジ−、トリ−、ペンタ−、及びヘキサグルコシド類、ガラクトシド類、ラクトシド類、グルコース類、フルクトシド類、フルクトース類及び／又はガラクトース類である。好適な混合物としては、ココナッツアルキル、ジ−、トリ−、テトラ−、及びペンタグルコシド類、並びに獣脂アルキルテトラ−、ペンタ−、及びヘキサグルコシド類がある。
【００４０】
好ましいアルキルポリグリコシドは次式を有する：
Ｒ2Ｏ（ＣnＨ2nＯ）t（グリコシル）x
式中、Ｒ2はアルキル、アルキルフェニル、ヒドロキシアルキル、ヒドロキシアルキルフェニル、及びこれらの混合物から成る群から選択され、その際、アルキル基は約１０〜約１８個、好ましくは約１２〜約１４個の炭素原子を含有し；ｎは約２又は約３、好ましくは２であり；ｔは０〜約１０、好ましくは０であり；ｘは約１．３〜約１０、好ましくは約１．３〜約３、最も好ましくは約１．３〜約２．７である。グリコシルは好ましくはグルコースに由来する。これらの化合物を調製するためには、アルコール又はアルキルポリエトキシアルコールを最初に形成し、その後グルコース又はグルコース源と反応させて、グルコシドを形成する（１位で付着）。次いで追加グリコシル単位はそれらの１位と既存グリコシル単位の２、３、４及び／又は６位、好ましくは主に２位との間で付着させることができる。
【００４１】
双性イオン性界面活性剤は、非常に好ましい低残留界面活性剤の第２の区分を示す。双性イオン性界面活性剤は、幅広いｐＨ範囲にわたって、同分子上に陽イオン性基と陰イオン性基との両方を含有する。典型的な陽イオン性基は四級アンモニウム基であるが、スルホニウム基やホスホニウム基などその他の正電荷を持つ基を使用することもできる。典型的な陰イオン性基はカルボキシレート及びスルホネート、好ましくはスルホネートであるが、スルフェート、ホスフェートなどのような他の基も使用することができる。こうした洗浄剤のうち一般的な例としては、米国特許第２，０８２，２７５号、米国特許第２，７０２，２７９号及び米国特許第２，２５５，０８２号に記載されており、これは本明細書に参考として組み込まれる。
【００４２】
ある好ましい双性イオン性界面活性剤の一般式は次のとおりである：
Ｒ−Ｎ+（Ｒ2）（Ｒ3）（Ｒ4）Ｘ-
式中、Ｒは疎水性基であり；Ｒ2及びＲ3はそれぞれＣ１〜４アルキルヒドロキシアルキル、又は結合してＮと環状構造を形成することができるその他の置換アルキル基であり；
Ｒ4は陽イオン性窒素を親水性陰イオン性基に結合させる部分であって、典型的にはアルキレン、ヒドロキシアルキレン、又は１〜４個の炭素原子を含有するポリアルコキシアルキレンであり；Ｘは親水性基、最も好ましくはスルホネート基である。
【００４３】
好ましい疎水基Ｒは、約６〜約２０個、好ましくは約１８個未満の炭素原子を含有するアルキル基である。疎水性部分は、アリール基、アミド基、エステル基などの修復部位及び／又は置換基及び／又は連結基を任意選択的に含有することができる。一般に、単純なアルキル基がコストや安定性の面で好ましい。「単純」な双性イオン性界面活性剤の具体的な例は、Varion HC（登録商標）の商品名でDegussa-Goldschmidt Companyから入手可能な３−（Ｎ−ドデシル−Ｎ，Ｎ−ジメチル）−２−ヒドロキシプロパン−１−スルホネートである。
【００４４】
その他の特定の双性イオン性界面活性剤は、次の一般式を有する：
Ｒ−Ｃ（Ｏ）−Ｎ（Ｒ2）−（ＣＲ32）n−Ｎ（Ｒ2）2+−（ＣＲ32）n−ＳＯ3-
式中、各Ｒは、例えば約６〜約２０個、好ましくは約１８個以下、より好ましくは約１６個以下の炭素原子を含有するアルキル基などの炭化水素であり、（Ｒ2）はそれぞれ、水素（アミド窒素に付着する場合）、約１〜約４個の炭素原子を含有する短鎖アルキル又は置換アルキルのいずれかであり、好ましくはメチル、エチル、プロピル、ヒドロキシ置換エチル及びプロピル、並びにこれらの混合物から成る群から選択される基、より好ましくはメチルであり、（Ｒ3）はそれぞれ、水素及びヒドロキシル基から成る群から選択され、ｎはそれぞれ、約１〜約４、より好ましくは約２又は約３、最も好ましくは約３の数字であり、（ＣＲ32）部分のいずれにも約１を超えるヒドロキシ基が含まれない。Ｒ基は直鎖又は分枝鎖、飽和又は不飽和であることができる。Ｒ2基も、環状構造を形成するように結合することができる。この種類の非常に好ましい低残留界面活性剤は、Ｃ１２〜１４アシルアミドプロピレン（ヒドロキシプロピレン）スルホベタインであり、Rewoteric AM CAS-15U（登録商標）の商品名でDegussa-Goldschmidtから入手可能である。
【００４５】
上記のヒドロカルビルアミドスルホベタインを含有する本発明の組成物は、従来の陰イオン性界面活性剤を含有する同様の組成物よりも多くの香料及び／又は疎水性香料を含有することができる。これは消費者製品の調製において望ましいことがある。
【００４６】
その他の非常に有用な双性イオン性界面活性剤には、脂肪族アルキレンベタインなどのヒドロカルビルが挙げられる。これらの界面活性剤は、カルボキシル陰イオン性基のプロトン化によりｐＨが下がるため、陽イオン性になる傾向があり、ある実施形態では次の一般式を有する：
Ｒ−Ｎ（Ｒ1）2+−（ＣＲ22）n−ＣＯＯ-
式中、Ｒは、例えば約６〜約２０個、好ましくは約１８個以下、より好ましくは約１６個以下の炭素原子を含有するアルキル基などの炭化水素であり、（Ｒ1）はそれぞれ、約１〜約４個の炭素原子を含有する短鎖アルキル又は置換アルキルであり、好ましくはメチル、エチル、プロピル、ヒドロキシ置換エチル及びプロピル、並びにこれらの混合物から成る群から選択される基、より好ましくはメチルであり、（Ｒ2）は水素及びヒドロキシル基から成る群から選択され、ｎは約１〜約４の数字、好ましくは約１である。この種の非常に好ましい低残留界面活性剤は、Albright & Wilsonが製造しているココジメチルベタインのEmpigen BB（登録商標）である。
【００４７】
同様に好ましい別の実施形態では、これらのベタイン界面活性剤は次の一般式を有する：
Ｒ−Ｃ（Ｏ）−Ｎ（Ｒ2）−（ＣＲ32）n−Ｎ（Ｒ2）2+−（ＣＲ32）n−ＣＯＯ-
式中、各Ｒは、例えば約６〜約２０個、好ましくは約１８個以下、より好ましくは約１６個以下の炭素原子を含有するアルキル基などの炭化水素であり、（Ｒ2）はそれぞれ、水素（アミド窒素に付着する場合）、約１〜約４個の炭素原子を含有する短鎖アルキル又は置換アルキルのいずれかであり、好ましくはメチル、エチル、プロピル、ヒドロキシ置換エチル及びプロピル、並びにこれらの混合物から成る群から選択される基、より好ましくはメチルであり、（Ｒ3）はそれぞれ、水素及びヒドロキシル基から成る群から選択され、ｎはそれぞれ、約１〜約４、より好ましくは約２又は約３、最も好ましくは約３の数字であり、（ＣＲ32）部分のいずれにも約１を超えるヒドロキシ基が含まれない。Ｒ基は直鎖又は分枝鎖、飽和又は不飽和であることができる。Ｒ2基も、環状構造を形成するように結合することができる。この種類の非常に好ましい低残留界面活性剤は、Degussa-Goldschmidtが製造しているココアミドプロピルベタインのTEGO Betain F（登録商標）である。
【００４８】
好ましい低残留界面活性剤の第３の区分は、両性イオン系界面活性剤から成る群を含む。これらの界面活性剤は、酸性ｐＨにおいて、本質的に双性イオン性界面活性剤として機能する。ある好適な両性イオン系界面活性剤は、Ｃ８〜Ｃ１６アミドアルキレングリシネート界面活性剤（「両性グリシネート」）である。別の好適な両性イオン系界面活性剤は、Ｃ８〜Ｃ１６アミドアルキレンプロピオネート界面活性剤（「両性プロピオネート」）である。これらの界面活性剤は、酸性ｐＨで本質的に陽イオン性であり、次の一般式を有する：
Ｒ−Ｃ（Ｏ）−（ＣＨ2）n−Ｎ（Ｒ1）−（ＣＨ2）x−ＣＯＯＨ
式中、Ｒ−Ｃ（Ｏ）−は約Ｃ５〜約Ｃ１５の前疎水性脂肪族アシル部分であり、ｎはそれぞれ、約１〜約３であり、Ｒ１はそれぞれ、好ましくは水素又はＣ１〜Ｃ２アルキル基又はヒドロキシアルキル基であり、ｘは約１又は約２である。このような界面活性剤は、Rewoteric AM（登録商標）の商品名でDegussa-Goldschmidt chemicalsから塩の形態で入手可能である。その他の好適な低残留界面活性剤の例には、ココイルアミドエチレンアミン−Ｎ−（メチル）アセテート、ココイルアミドエチレンアミン−Ｎ−（ヒドロキシエチル）アセテート、ココイルアミドプロピレンアミン−Ｎ−（ヒドロキシエチル）アセテート、及び類縁体、並びにこれらの混合物が挙げられる。
【００４９】
系のｐＨに応じて陽イオン性又は陰イオン性になるその他の好適な両性イオン系界面活性剤は、ドデシルβ−アラニン、Ｎ−アルキルタウリン類（例えば、米国特許第２，６５８，０７２号の指示に従ってドデシルアミンとイセチオン酸ナトリウムとの反応により調製されるもの）、Ｎ−高級アルキルアスパラギン酸（例えば、米国特許第２，４３８，０９１号の指示に従って製造されるもの）、及び「Miranol（登録商標）」という商品名で販売されている製品（米国特許第２，５２８，３７８号に記載されている）などの界面活性剤に代表され、前記特許は参考として本明細書に組み込まれる。
【００５０】
低残留界面活性剤は、本発明の組成物の膜／縞模様の形成に関する特性（つまり、縞模様及び／又は膜の形成が少ないか、又は実質的に形成しない）をもたらす。理論に縛られたくはないが、アルキルポリグリコシド類及びスクロースエステル類の嵩高の糖部分は、本発明の水溶液中の水が蒸発することにより生じる界面活性剤の凝集を抑制するように働くと考えられる。また、双性イオン性界面活性剤及び両性イオン性界面活性剤は、陰イオン性及び陽イオン性の電荷を帯びた基の間の分子内の静電引力が界面活性剤と界面活性剤との分子間引力より強いので、従来の界面活性剤と比べて低い凝集性を示すと考えられる。その結果、分子の集合が低い傾向にあり、目に見える残留物が抑制される。
【００５１】
本発明の好ましい実施形態では、ＢＹＫ−グロス光沢測定器（登録商標）を６０°の角度に設定して測定する時に、洗浄済みの未処理タイルと比較して、組成物が９５％の信頼水準で有意性のあるタイル光沢の損失を発生させないような光沢測定器の測定値を有する本明細書における組成物で処理されたExtracompa（登録商標）黒色光沢磁器タイルを提供するために、本明細書における低残留界面活性剤が選択される。上記のテストは、本明細書の実験の項で後述するように実施する。
【００５２】
本明細書において、「有意性のない光沢の損失」とは、それぞれ１５回測定して得られた測定値を使用した場合に、２つの別個の処理方法で処理されたタイルの光沢の平均差が、統計的に有意（α＝０．０５）でないことを意味する。同様に、本明細書において、「有意性のある光沢の向上（増大）」とは、それぞれ１５回測定して得られた測定値を使用した場合に、２つの別個の処理方法で処理されたタイルの光沢の平均差が統計的に有意（α＝０．０５）であることを意味する。これらの膜／縞模様のテストでは、統計的有意性は、片側検定とペアワイズによる試料の統計処理を使用して、９５％の信頼水準（α＝０．０５）で決定する。全ての試料が、均等分散で正規分布が示されるものと考えられる。生データを使用してｔ検定値を算出し、ｔ棄却限界値の統計と比較する。算出されたｔ検定値がｔ棄却限界値を超える場合、試料には「有意」差があることになる。算出されたｔ検定値がｔ棄却限界値未満の場合には、試料には「有意」差がないことになる。有意性の指針は、平均差（即ち、「平均処理後値δ」、「平均値δ（ＰＨＭＢを加えた場合の平均値−ＰＨＭＢの含まれていない場合の平均値）」又は「平均値δ（ＰＨＭＢを加えた場合の平均値−Ｑｕａｔを加えた場合の平均値）」の表れによって決まる。例えば、ある処理の平均光沢値が未処理タイルの平均光沢値よりも高く、算出されたｔ検定値がｔ棄却限界値を上回る場合には、９５％の信頼水準（α＝０．０５）で、その処理の光沢値が未処理タイルよりも大幅に高いことをデータから読み取ることができる。従属的な一対の試料（「平均処理後値δ」）と非従属的な一対の試料（「平均値δ（ＰＨＭＢを加えた場合の平均値−ＰＨＭＢの含まれていない場合の平均値）」又は「平均値δ（ＰＨＭＢを加えた場合の平均値−Ｑｕａｔを加えた場合の平均値）」）の統計処理は、「Statistics for Business and Economics」第６版（Anderson、Sweeney、Williams著、West Publishing Companyより１９９６年に出版）に記載されており、この文献は参考として本明細書に組み込まれる。これらの統計は、Microsoft Excel（登録商標）の統計機能を使えば、簡単に行うことができる。Excelでは、結果の有意性レベルに相当するＰ値が提供される。Ｐ値が０．０５未満だと、α＝０．０５で統計的有意性があり、Ｐ値が０．０５を超えると、α＝０．０５で統計的有意性がないことが示される。
【００５３】
本発明の他の好ましい実施形態では、ＢＹＫ−グロス光沢測定器（登録商標）を６０°の角度に設定して測定する時に、ポリマービグアニドを含まない同様の組成物で処理されたタイルと比較して、組成物が９５％の信頼水準で有意性のある光沢を向上／増大させるような光沢測定器の測定値を有する本明細書における組成物で処理されたExtracompa（登録商標）黒色光沢セラミックタイルを提供するために、本明細書における低残留界面活性剤が選択される。上記のテストは、本明細書の実験の項で後述するように実施する。
【００５４】
低残留界面活性剤は、組成物全体の約０．０１〜約１５重量％、好ましくは約０．０１〜約１０重量％、より好ましくは約０．０３〜約０．７５重量％の濃度で本発明の組成物中に存在することができる。実際の製品使用濃度では、製品の推奨希釈率がある場合にはそれに従うが、低残留界面活性剤は典型的には、組成物全体の約０．０１〜約１５重量％、好ましくは約０．０１〜約１０重量％、より好ましくは約０．０３〜０．７５重量％の濃度で存在する。重要なことに、本出願者は、低残留界面活性剤を従来の界面活性剤（つまり、非低残留界面活性剤）と共に使用すると、従来の界面活性剤のみを使用した同様の組成物に比べて、膜及び／又は縞模様に関する問題を軽減できることを見いだした。
【００５５】
（ポリマービグアニド）
本発明に基づく組成物は、必須成分としてポリマービグアニドを含む。当業者に既知のいかなるポリマービグアニドも、本明細書において使用することができる。
【００５６】
ポリマービグアニドは、少なくとも１つ、好ましくは約２以上の次の化学式に基づくビグアニド部分を含むことを特徴とする：
−ＮＨ−Ｃ（＝ＮＨ）−ＮＨ−Ｃ（＝ＮＨ）−ＮＨ−
本発明の組成物との関連において、ポリマービグアニドは、オリゴ−若しくはポリアルキレンビグアニド又はこれらの塩、又はこれらの混合物である。より好ましいポリマービグアニドは、オリゴ−若しくはポリヘキサメチレンビグアニド又はこれらの塩、又はこれらの混合物である。
【００５７】
本発明の最も好ましい実施形態では、前記ポリマービグアニドは、次の化学式に基づくポリ（ヘキサメチレンビグアニド）又はこれらの塩である：
−［−（ＣＨ2）3−ＮＨ−Ｃ（＝ＮＨ）−ＮＨ−Ｃ（＝ＮＨ）−ＮＨ−（ＣＨ2）3−］n−
式中、ｎは約１〜約５０、好ましくは約１〜約２０、より好ましくは約９〜約１８より選択される整数である。更に好ましくは、前記ビグアニド抗菌剤は、次の化学式に基づくポリ（ヘキサメチレンビグアニド）の塩である。
−［−（ＣＨ2）3−ＮＨ−Ｃ（＝ＮＨ）−ＮＨ−Ｃ（＝ＮＨ）−ＮＨ−（ＣＨ2）3−］n−    ．ｎＨＸ
式中、ｎは約１〜約５０、好ましくは約１〜約２０、より好ましくは約９〜約１より選択される整数であり、ＨＸは塩の構成成分であり、好ましくはＨＣｌである。
【００５８】
非ポリマー物質には湿潤させることができるものがないので、湿潤させるためにはこのポリマーが必要になる。
【００５９】
最も好ましいポリ（ヘキサメチレンビグアニド）塩酸塩（ＰＢＧ）は、上記の化学式においてｎ＝１２であり、Vantocil P（登録商標）、Vantocil IB（登録商標）、又はCosmocil CQ（登録商標）の商品名でAveciaから市販されている。別の好適なｎ＝１５のＰＨＭＢは、Reputex 20（登録商標）の商品名でAveciaから市販されている。本発明の組成物の最も好ましいポリマービグアニド抗菌剤としてポリ（ヘキサメチレンビグアニド）塩酸塩を選択するには、本明細書に開示された組成物の範囲内の、非常に良好な膜及び縞模様の形成に関する特性や、許可された硬質面洗浄用抗菌活性物質の規制状況（ＥＵでは殺菌製品管理（Biocidal Products Directive）、米国ではＥＰＡ活性物質リスト）が考慮される。
【００６０】
本出願者は、ＰＨＭＢの微生物に対する有効性が、有機酸の濃度が比較的低い場合に最適になることを見いだした。例えば、クエン酸約０．２５％を含む本発明の組成物中の抗菌活性物質としてのＰＨＭＢの有効性は、クエン酸１％を含む同様の組成物と比べて向上する。これは、酸の濃度が低いと膜及び縞模様の形成に関する効果が向上する傾向があり、その間、良好な抗菌効果が促進されるので有利である。
【００６１】
本明細書における組成物は、典型的に組成物全体の約２０重量％以下、好ましくは約０．０１〜約１０重量％、より好ましくは約０．０２〜約７．５重量％のポリマービグアニドを含むことができる。実際の製品使用濃度では、製品の推奨希釈率がある場合にはそれに従うが、本明細書の組成物は、組成物全体の約２重量％以下、好ましくは約０．０１〜約１重量％、より好ましくは約０．０２〜約０．７５重量％のポリマービグアニドが含まれていてもよい。当業者であれば、ポリマービクアニド抗菌剤の濃度が、抗菌効果をどの程度必要とするかによって決まることを理解するであろう。欧州での衛生要件、衛生化、及びカナダや米国での「消毒に関する規制（Limited Disinfection）」に関する利益に対しては、ポリマービクアニド抗菌剤は約０．２０％以下の低濃度で十分である。グラム陽性微生物とグラム陰性微生物に対する完全な殺菌効果を求める場合には、水性組成物中に約０．２０％以上、より好ましくは約０．２５％以上、最も好ましくは約０．３０％以上のポリマービグアニド化合物を含むことが推奨される。特に白癬菌属又はその他の真菌などの殺菌が困難な微生物には、最大約１．５％のより高濃度のビグアニド抗菌剤が必要になることもあり得る。
【００６２】
（任意成分）
（界面活性剤）
本発明の組成物には、必須の低残留界面活性剤に加えて、「非低残留」界面活性剤を組み込むことができる。この界面活性剤は、非イオン性、陰イオン性、陽イオン性、双性イオン性、又は両性イオン性、及びこれらの混合物であることができる。求められる界面活性剤は、約６〜２０個の炭素原子を有する炭化水素部分から成る疎水性成分と親水性の先端基とを有する物質として定義される。界面活性剤は、処理する硬質面をより湿潤化するために使用する。界面活性剤の湿潤特性は、本発明の組成物にとって不可欠である。界面活性剤の疎水性の末端は、直鎖又は分枝鎖の脂肪族芳香族であってもよい。親水性の先端基は、湿潤特性を提供するいかなる基から成ることもできる。前記界面活性剤は、本発明の組成物に、組成物全体の約０．０１〜約１５重量％、好ましくは約０．０１〜約１０重量％、より好ましくは約０．０２〜約７．５重量％で存在してもよい。実際の製品使用濃度では、低残留界面活性剤は典型的には、組成物全体の約０．０１〜約１．５重量％、より好ましくは約０．０１〜約１０％、より好ましくは約０．０３〜約０．７５重量％の濃度で存在する。
【００６３】
以下の発明との関連において、使用可能な非イオン性界面活性剤の基をより具体的に以下に示す：
（ｉ）アルキルフェノールのポリエチレンオキシド縮合物、例えば、直鎖又は分枝鎖構造に約６〜約１２個の炭素原子を含有するアルキル基を有するアルキルフェノールとエチレンオキシドとの縮合生成物で、このエチレンオキシドはアルキルフェノール１モルに対して約１０〜約２５モルに等しい量で存在する。このような化合物のアルキル置換基は、重合プロピレン、ジイソブチレン、オクタン、及びノナンから誘導されてもよい。
（ｉｉ）プロピレンオキシドとエチレンジアミン生成物との反応によってできた生成物とエチレンオキシドの縮合物から誘導されたもので、この構成は、望ましい親水性成分と疎水性成分とのバランスによって変わる。例は、全体として分子の水溶解度を高めるためのものであり、生成物の液体特質は、ポリオキシエチレン含有量が縮合生成物の全重量の約５０％になるまで保持される。化合物は、約４０〜約８０重量％のポリオキシエチレンを含有し、約５０００〜約１１０００の分子量を有し、エチレンオキシド基と、エチレンジアミンと過剰なプロピレンオキシドとの反応生成物から成る疎水性塩基との反応から得られたものであり、前記塩基は、約２５００〜約３０００程度の分子量を有する。
（ｉｉｉ）直鎖又は分枝鎖構造のいずれかで約６〜約１８個の炭素原子を有する脂肪族アルコールの、エチレンオキシド、プロピレンオキシド、ブチレンオキシド、及びこれらの混合物との縮合生成物。例えば、ココナッツアルコールの１モル当たり約３〜約１５モルのエチレンオキシドを有するココナッツアルコールエチレンオキシド縮合体があり、ココナッツアルコール部は約１０〜約１４個の炭素原子を有する。このような物質は一般に「アルキルアルコキシラート」又は「アルコールアルコキシラート」として知られている。場合によっては、アルキルエトキシレートは末端処理基を有することができる。つまり、Ｒ１−（ＥＯ）xＲ２の構造を有し、この時、Ｒ１はＣ６〜Ｃ１８直鎖又は分枝鎖部分、ｘは約１〜約１５、末端処理基であるＲ２は約Ｃ１〜約Ｃ８ヒドロカルビル部分である。
（ｉｖ）１つのアルキル基の炭素原子が約１０〜約１８個、２つのアルキル基の炭素原子が約１〜約３個である、トリアルキルアミンオキシド及びトリアルキルホスフィンオキシド。アルキル基はヒドロキシ置換基を含有することができる。具体的な例は、ドデシルジ（２−ヒドロキシエチル）アミンオキシド及びテトラデシルジメチルホスフィンオキシドである。
【００６４】
好ましいというわけではないが、プロピレンオキシドとプロピレングリコールとの縮合によって形成される疎水性塩基とエチレンオキシドとの縮合生成物も、本明細書に用いるのに適している。このような化合物の疎水性部分は、好ましくは、約１５００〜約１８００の分子量を有し、水不溶性を呈する。この疎水性部分へのポリオキシエチレン部分の添加は全体としての分子の水溶解度を高める傾向があり、ポリオキシエチレン含有量が縮合生成物全体の約５０重量％であり、約４０モルまでのエチレンオキシドとの縮合に相当する点まで、生成物の液体特質が保持される。この型の化合物の例としては、BASFより市販されているPluronic（登録商標）界面活性剤が挙げられる。このような界面活性剤は、化学的に（ＥＯ）x（ＰＯ）y（ＥＯ）z又は（ＰＯ）x（ＥＯ）y（ＰＯ）zの構造を有し、この時ｘ、ｙ、及びｚは約１〜約１００、好ましくは約３〜約５０である。良好な湿潤界面活性剤として知られるPluronic（登録商標）界面活性剤は、更に好ましい。Pluronic（登録商標）界面活性剤の説明と湿潤特性などの特性は、BASFから入手可能な「BASF Performance Chemicals Plutonic（登録商標） & Tetronic（登録商標） Surfactants」という表題のパンフレットに記載されており、このパンフレットは参考として本明細書に組み込まれる。
【００６５】
これも好ましいというわけではないが、プロピレンオキシドとエチレンジアミンとの反応生成物とエチレンオキシドとの縮合生成物も、本明細書の非イオン性界面活性剤として適している。これらの生成物の疎水性部分は、エチレンジアミンと過剰なプロピレンオキシドとの反応生成物から成り、一般にその分子量は約２，５００〜約３，０００である。この疎水部分は、縮合生成物が約４０〜約８０重量％のポリオキシエチレンを含有し、且つ約５，０００〜約１１，０００の分子量を有する程度まで、エチレンオキシドと縮合される。この型の非イオン性界面活性剤の例としては、BASFより市販されているTetronic（登録商標）化合物が挙げられる。
【００６６】
好ましいというわけではないが、本明細書に用いる別の非イオン性界面活性剤には、次の構造式のポリヒドロキシ脂肪酸アミドが含まれる：
【００６７】
【化１】
2005505657.tif 000002
式中、Ｒ1はＨ、Ｃ１〜Ｃ４ヒドロカルビル、２−ヒドロキシエチル、２−ヒドロキシプロピル、又はこれらの混合物であり、好ましくはＣ1〜Ｃ4アルキル、より好ましくはＣ１アルキル若しくはＣ２アルキル、最も好ましくはＣ１アルキル（即ちメチル）であり；Ｒ2はＣ５〜Ｃ３１ヒドロカルビル、好ましくは直鎖Ｃ７〜Ｃ１９アルキル若しくはアルケニル、より好ましくは直鎖Ｃ９〜Ｃ１７アルキル若しくはアルケニル、最も好ましくは直鎖Ｃ１１〜Ｃ１７アルキル若しくはアルケニル、又はこれらの混合物であり；Ｚは線状ヒドロカルビル鎖を有し、鎖に直結するヒドロキシルを少なくとも約３個有する、ポリヒドロキシ炭化水素、又はこれらのアルコキシル化誘導体（好ましくはエトキシ化又はプロポキシル化誘導体）である。Ｚは好ましくは還元型アミノ化反応において還元糖から誘導され、より好ましくはＺはグリシチルである。好適な還元糖としては、グルコース、フルクトース、マルトース、ラクトース、ガラクトース、マンノース、及びキシロースが挙げられる。原料としては、高ブドウ糖コーンシロップや、上記の個々の糖を利用できる。これらのコーンシロップによって、Ｚの糖成分の混合物を生成することができる。ただし、その他の好適な原料を排除する意図はないことを理解すべきである。Ｚは、好ましくは−ＣＨ2−（ＣＨＯＨ）n−ＣＨ2ＯＨ、−ＣＨ（ＣＨ2ＯＨ）−（ＣＨＯＨ）n-1−ＣＨ2ＯＨ、−ＣＨ2−（ＣＨＯＨ）2（ＣＨＯＲ’）（ＣＨＯＨ）−ＣＨ2ＯＨ、及びこれらのアルコキシル化誘導体から成る群より選択され、ｎは包括的に約３〜約５の整数であり、Ｒ’はＨ又は環状又は脂肪族単糖類である。最も好ましいものは、ｎが４であるグリシチル、特に−ＣＨ2−（ＣＨＯＨ）4−ＣＨ2ＯＨである。
【００６８】
式（Ｉ）において、Ｒ1は、例えば、Ｎ−メチル、Ｎ−エチル、Ｎ−プロピル、Ｎ−イソプロピル、Ｎ−ブチル、Ｎ−２−ヒドロキシエチル、又はＮ−２−ヒドロキシプロピルであることができ、Ｒ2−ＣＯ−Ｎ＜は、例えば、コカミド、ステアルアミド、オレアミド、ラウロアミド、ミリスタミド、カプリカミド、パルミトアミド、タロウアミドなどであることができ、Ｚは１−デオキシグルシチル、２−デオキシフルクチチル、１−デオキシマルチチル、１−デオキシラクチチル、１−デオキシガラクチチル、１−デオキシマンニチル、１−デオキシマルトトリオチチルなどであることができる。
【００６９】
本明細書に用いるのに好適な別の種類の非イオン性界面活性剤は、約６〜約１６個、好ましくは約７〜約１３個、より好ましくは約８〜約１２個、最も好ましくは約８〜約１０個の炭素原子と末端ヒドロキシ基とを含むアルキル鎖を有する２−アルキルアルカノールであり、前記アルキル鎖は、α位（位置番号２）において約１〜約１０個、好ましくは約２〜約８個、より好ましくは約４〜約６個の炭素原子を含むアルキル鎖で置換されている。
【００７０】
そのような好適な化合物は、例えばCondeaから市販されているIsofol１２（２−ブチルオクタノール）又はIsofol１６（２−へキシルデカノール）のようなIsofolシリーズとして市販されている。
【００７１】
本発明に有用で好適な非イオン性界面活性剤の詳細なリストは、１９８５年１２月１０日発行の米国特許第４,５５７,８５３号（Collins）に開示されており、この特許は参考として本明細書に組み込まれる。
【００７２】
非低残留の非イオン性界面活性剤の中では、アルコールと１以上のエチレンオキシドとの反応により形成された界面活性剤が最も好ましい。このような界面活性剤は、ポリマービグアニドが存在しないと、非常に目立つ膜を形成する傾向がある。ただし、本出願者は、本発明のビグアニドを低濃度から中濃度（例えば、約０．０５〜約０．３０％）で組成物に添加すると、目に見える膜の性質が著しく高められ、美的に満足するタイル上の光沢の向上に繋がることを見いだした。事実、本発明のポリマービグアニドは、アルキルエトキシレートによって生成された目に見える膜をタイルから除去する場合に有効且つ効率的である。好ましい非低残留アルキルアルコキシラートの群の例には、Neodol（登録商標）界面活性剤（Shell）、Tergitol（登録商標）界面活性剤（Union Carbide）、及びIcconol（登録商標）界面活性剤（BASF）が含まれるが、これらに限定されない。ある特定の例としては、Shellが製造するNeodol９１−６（登録商標）が挙げられ、これは９〜１１個の炭素原子と平均６モルのエトキシル化とを含むアルキルエトキシレートである。
【００７３】
陰イオン性界面活性剤は、特に独立型の界面活性剤として本発明で好ましいというわけではないが、使用は可能である。本明細書に用いるのに好適な陰イオン性界面活性剤には、約８〜約２４個、好ましくは約１０〜約２０個の炭素原子、直鎖又は分枝状のＣ６〜Ｃ１６アルコール、Ｃ６〜Ｃ１２スルホン酸アルキル、Ｃ６〜Ｃ１８アルキルスルフェート２−エチル−１−ヘキシルスルホサクシネート、Ｃ６〜Ｃ１６カルボン酸アルキル、Ｃ６〜Ｃ１８アルキルエトキシスルフェートを有するアルカリ金属（例えば、ナトリウム又はカリウム）脂肪酸、又はこれらの石鹸が含まれる。
【００７４】
石鹸の製造に使用するものを含む脂肪酸は、例えば植物又は動物由来のグリセリド類（例えば、パーム油、ココヤシ油、ババス油、大豆油、ヒマシ油、獣脂、鯨油、魚油、獣脂、グリース、ラード及びこれらの混合物）から得ることができる。脂肪酸は合成的に調製することもできる（例えば原料油の酸化又はフィッシャー・トロプシュ法によって調製できる）。アルカリ金属石鹸は、脂肪及び油脂を直接石鹸化したり、別の製造工程によって調製される遊離脂肪酸を中和したりすることによって、製造できる。特に有用なのは、ココヤシ油及び獣脂から誘導される脂肪酸の混合物のナトリウム塩及びカリウム塩、即ち獣脂ナトリウム及び獣脂カリウム並びにココヤシ石鹸である。
【００７５】
本明細書に用いるのに好適なその他の陰イオン性界面活性剤には、分子構造に約８〜約２２個の炭素原子と、スルホン酸及び硫酸エステルラジカルから成る群から選択されるラジカルを含有するアルキルラジカルとを有する有機イオウ反応生成物の水溶性塩、特にアルカリ金属塩が挙げられる。これらの合成洗剤の重要な例としては、ナトリウムアルキルスルフェート、アンモニウムアルキルスルフェート、又はカリウムアルキルスルフェート、特にタロー又はココヤシ油のグリセリドを還元することにより生成される高級アルコールを硫酸化して得られるもの；アルキル基が約９〜約１５の炭素原子を含有するナトリウムアルキルベンゼンスルホネート又はカリウムアルキルベンゼンスルホネート、特に米国特許第２，２２０，０９９号及び米国特許第２，４７７，３８３号（参考として本明細書に組み込まれる）に記載された種類のもの；ナトリウムアルキルグリセリルエーテルスルホネート、特にタロー又はココヤシ油から誘導された高級アルコールのエーテル；ナトリウムココヤシ油脂肪酸モノグリセリドスルフェート及びナトリウムココヤシ油脂肪酸モノグリセリドスルホネート；１モルの高級脂肪族アルコール（例えば、タロー又はココヤシ油アルコール）と約３モルのエチレンオキシドとの反応生成物の硫酸エステルのナトリウム塩又はカリウム塩；１分子当たり約４単位のエチレンオキシドを有し、アルキルラジカルが約９個の炭素原子を含有する、アルキルフェノールエチレンオキシドエーテルスルフェートのナトリウム塩又はカリウム塩；１分子当たり約４単位のエチレンオキシドを有し、アルキルラジカルが６〜１８個の炭素原子を含有する、アルキルエチレンオキシドエーテルスルフェートのナトリウム塩又はカリウム塩；イソチオン酸でエステル化されて水酸化ナトリウムで中和された脂肪酸の反応生成物（例えば、脂肪酸がココヤシ油から誘導されたもの）；メチルタウリンの脂肪酸アミドのナトリウム塩又はカリウム塩（例えば、脂肪酸がココヤシ油から誘導されたもの）；及び当該技術分野において既知のその他（特に米国特許第２，４８６，９２１号、米国特許第２，４８６，９２２号、及び米国特許第２，３９６，２７８号で特に記載されている番号）が挙げられ、これらの特許は参考として本明細書に組み込まれる。その他の好適な陰イオン性界面活性剤には、Ｃ６〜Ｃ１８アルキルエトキシカルボキシレート、Ｃ８〜Ｃ１８メチルエステルスルホネート、２−エチル−１−ヘキシルスルホサクシナメート、２−エチル−１−ヘキシルスルホサクシネートなどが挙げられる。
【００７６】
陽イオン性界面活性剤は好ましいというわけではないが、本発明の組成物では、長鎖ヒドロカルビル基を有するものを低濃度で使用することができる。このような陽イオン性界面活性剤の例には、アルキルジメチルアンモニウムハロゲン化物などのアンモニウム界面活性剤及び次式を有する界面活性剤が含まれる:
［Ｒ2（ＯＲ3）y］［Ｒ4（ＯＲ3）y］2Ｒ5Ｎ+Ｘ-
式中、Ｒ2はアルキル鎖に約８〜約１８個の炭素原子を有するアルキル又はアルキルベンジル基であり、各Ｒ3は−ＣＨ2ＣＨ2−、−ＣＨ2ＣＨ（ＣＨ3）−、−ＣＨ2ＣＨ（ＣＨ2ＯＨ）−、−ＣＨ2ＣＨ2ＣＨ2−及びこれらの混合物から成る群から選択され；各Ｒ4はＣ1〜Ｃ4アルキル、Ｃ1〜Ｃ4ヒドロキシアルキル、２つのＲ4基が結合することによって形成されるベンジル環状構造、−ＣＨ2ＣＨＯＨ−ＣＨＯＨＣＯＲ6ＣＨＯＨＣＨ2ＯＨ（式中、Ｒ6は約１０００未満の分子量を有するヘキソース又はヘキソースポリマーである）及び水素（ｙが０でない時）から成る群から選択され；Ｒ5はＲ4と同一であるか、又はＲ2とＲ5の炭素原子の合計数が約１８以下であるアルキル鎖であり；各ｙは０〜約１０であり、ｙの値の総数は０〜約１５であり；ｘは任意の相溶性陰イオンである。
【００７７】
本明細書で有用なその他の陽イオン性界面活性剤は、１９８０年１０月１４日発行の米国特許第４，２２８，０４４号（Cambre）にも記載されており、この特許は参考として本明細書に組み込まれる。
【００７８】
（溶媒）
任意ではあるが非常に好ましい成分として、本明細書の組成物は、１つ以上の溶媒又はこれらの混合物を含む。溶媒は、膜及び／又は縞模様の形成に関する効果を高めることができる。理論に縛られたくはないが、溶媒はミセルの形成を防ぐため、界面活性剤の凝集を減少させると考えられている。その結果、溶媒は光沢調整剤として働き、本発明の表面上の光沢の損失を減らすか、あるいは光沢の増大を向上させる。また、溶媒は表面張力を下げる特性を有し、本明細書に開示された組成物の洗浄性に役立つため、有益である。最後に、溶媒、特に高い蒸気圧を有する溶媒、具体的には２５℃、１大気圧で約０．０５ｍｍＨｇ（約６．６６Ｐａ）以上の蒸気圧を有する溶媒は、残留物を残すことなく、洗浄効果と膜及び／又は縞模様の形成に関する効果を提供することができる。
【００７９】
本明細書に使用される溶媒には、硬質面洗浄組成物に使用される溶媒として当該技術分野において既知の全ての溶媒が含まれる。好適な溶媒は、約４〜約１４個、好ましくは約６〜約１２個、より好ましくは約８〜約１０個の炭素原子を有する脂肪族アルコール類、エーテル類、及びジエーテル類；グリコール類又はアルコキシル化グリコール類；グリコールエーテル類；アルコキシル化芳香族アルコール類；芳香族アルコール類；テルペン類；並びにこれらの混合物から成る群から選択することができる。脂肪族アルコール類及びグリコールエーテル溶媒が最も好ましく、特に、２５℃及び１大気圧で、約０．０５ｍｍＨｇ（約６．６６Ｐａ）の蒸気圧を有するものが好ましい。
【００８０】
好適な溶媒は、Ｒ−ＯＨの式を有する脂肪族アルコール類であり、式中、Ｒは約１〜約２０個、好ましくは約２〜約１５個、より好ましくは約５〜約１２個の炭素原子を有する直鎖又は分枝鎖、飽和又は不飽和のアルキル基である。好適な脂肪族アルコール類は、メタノール、エタノール、プロパノール、イソプロパノール又はこれらの混合物である。脂肪族アルコールの中では、エタノール及びイソプロパノールが高い蒸気圧を有し、残留物を残さない傾向があるため、最も好ましい。
【００８１】
本明細書に用いられる好適なグリコール類は、式ＨＯ−ＣＲ１Ｒ２−ＯＨによるものであり、Ｒ１及びＲ２は独立してＨ又はＣ２〜Ｃ１０飽和又は不飽和の脂肪族炭化水素の鎖及び／又は環状である。本明細書に用いられる好適なグリコール類は、ドデカングリコール及び／又はプロパンジオールである。
【００８２】
ある好ましい実施形態では、少なくとも１つのグリコールエーテル溶媒が本発明の組成物に組み込まれる。特に好ましいグリコールエーテル類は、適切な疎水性と好ましくは表面活性を提供するように１〜３個のエチレングリコール部分又はプロピレングリコール部分に付着した、末端のＣ３〜Ｃ６炭化水素を有する。エチレングリコール化学に基づく市販の溶媒の例には、Dow Chemicalから入手可能なモノエチレングリコールｎ−へキシルエーテル（Hexyl Cellosolve（登録商標））が挙げられる。プロピレングリコール化学に基づく市販の溶媒の例には、ArcoからArcosolv（登録商標）及びDowanol（登録商標）の商品名で入手可能なプロピルアルコール及びブチルアルコールのジ−及びトリ−プロピレングリコール誘導体が挙げられる。
【００８３】
本発明との関連において、好ましい溶媒は、モノ−プロピレングリコールモノ−プロピルエーテル、ジ−プロピレングリコールモノ−プロピルエーテル、モノ−プロピレングリコールモノブチルエーテル、ジ−プロピレングリコールモノ−プロピルエーテル、ジ−プロピレングリコールモノブチルエーテル；トリ−プロピレングリコールモノブチルエーテル；エチレングリコールモノブチルエーテル；ジエチレングリコールモノブチルエーテル、エチレングリコールモノヘキシルエーテル及びジ−エチレングリコールモノヘキシルエーテル、並びにこれらの混合物から成る群から選択される。「ブチル」は、ノルマルブチル、イソブチル、及び第三ブチル基を含む。モノ−プロピレングリコール及びモノ−プロピレングリコールモノブチルエーテルが最も好ましい洗浄性溶媒であり、Dowanol DPnP（登録商標）及びDowanol DPnB（登録商標）の商品名で入手可能である。ジ−プロピレングリコールモノ−ｔ−ブチルエーテルは、Arcosolv PTB（登録商標）の商品名でArco Chemicalから市販されている。
【００８４】
特に好ましい実施形態では、洗浄溶媒は最低限の不純物しか含まないように精製される。このような不純物には、アルデヒド、ダイマー、トリマー、オリゴマー、及びその他の副生成物が含まれる。これらの不純物は、製品のにおい、香料の溶解度、及び最終結果に有害な影響を与えることがわかった。発明者は、低濃度のアルデヒドを含む通常の市販溶媒が、特定の硬質面を回復及び修復不能な状態まで黄変させる可能性があることを見いだした。このような不純物を最低限しか含まれないか、又は除去されるように洗浄溶媒を精製すると、表面の損傷が軽減したり、排除されたりする。
【００８５】
好ましいというわけではないが、テルペン類を本発明に使用することができる。本明細書に用いるのに好適なテルペン類は、単環式テルペン類、二環式テルペン類及び／又は非環式テルペン類である。好適なテルペン類としては、Ｄ−リモネン；ピネン；松根油；テルピネン；メントール、テルピネオール、ゲラニオール、チモールなどのテルペン誘導体；及びシトロネラ又はシトロネロール型の成分が挙げられる。
【００８６】
本明細書に使用される好適なアルコキシル化芳香族アルコール類は、Ｒ−（Ａ）n−ＯＨの式に基づくものであり、式中、Ｒは約１〜約２０個、好ましくは約２〜約１５個、より好ましくは約２〜約１０個の炭素原子を有するアルキル置換アリール基又は非アルキル置換アリール基であり、Ａはアルコキシ基、好ましくはブトキシ、プロポキシ、及び／又はエトキシであり、ｎは約１〜約５、好ましくは約１〜約２の整数である。好適なアルコキシル化芳香族アルコール類は、ベンズオキシエタノール及び／又はベンズオキシプロパノールである。
【００８７】
本明細書に使用される好適な芳香族アルコール類は、Ｒ−ＯＨの式に基づくものであり、式中、Ｒは約１〜約２０個、好ましくは約１〜約１５個、より好ましくは約１〜約１０個の炭素原子を有するアルキル置換アリール基又は非アルキル置換アリール基である。例えば、本明細書に用いられる好適な芳香族アルコールはベンジルアルコールである。
【００８８】
溶媒が存在する場合、溶媒は約０．５〜約２５％、より好ましくは約１．０〜約２０％、最も好ましくは約２〜約１５％の濃度で最も有効であることが知られている。
【００８９】
（ヒドロトロープ）
ヒドロトロープは、水性組成物の溶解度を確保するために、特に適切な香料の溶解度を確保するために使用すると有益である。ヒドロトロープには、トルエン、キシレン、及びクメンのスルホン酸塩、ナフタレン、アントラセン、及び高級芳香族の硫酸塩、並びにＣ３〜Ｃ１０直鎖又は分枝鎖アルキルベンゼン、Ｃ６〜Ｃ８硫酸塩（例えば、ヘキシルスルフェート及び２−エチル−１−ヘキシルスルフェート）、短鎖ピロリドン（例えば、オクチルピロリドン）などが挙げられる。その他の好ましいヒドロトロープには、ポリエチレングリコールを含むオリゴマー及びポリマーが挙げられる。特に好ましい実施形態では、１モルの鎖長（アルコール）当たり少なくとも平均約１５モルのエチレンオキシド、より好ましくは少なくとも平均約２０モルのエチレンオキシドを含むアルキルエトキシレートが有益に使用される。従来のヒドロトロープとは異なり、好ましいアルキルエトキシレートヒドロトロープは、本発明の組成物の膜及び縞模様の形成に関する特性にほとんど又は全く影響を与えないことがわかっている。ヒドロトロープが存在する場合、ヒドロトロープは、約０．０１〜約５％、より好ましくは約０．０１〜約０．５％、更により好ましく約０．０３〜０．２５％の溶液重量％で使用されることが好ましい。
【００９０】
本発明に基づく液体組成物は、目的とする技術的利益及び処理表面に応じてさまざまな他の任意成分を含んでもよい。本明細書に用いるのに好適な任意成分には、ポリマー、緩衝液、香料、着色剤、色素、及び／又は染料が挙げられる。
【００９１】
（膜／縞模様、洗浄、及び抗菌性能）
本出願者は、約７以下のｐＨ、界面活性剤、及びポリマービグアニドを含有する本発明の組成物を硬質面、好ましくは光沢のある硬質面に使用する場合、本発明の組成物のおかげで、膜／縞模様がほとんど形成されないか、又は全く形成されないこと（これを「膜／縞模様の形成に関する性能効果」という）を見いだした。本発明の利益を有する組成物で処理された表面の膜及び縞模様の形成に関する特性全般は、界面活性剤が低残留界面活性剤である場合に特に良好である。
【００９２】
硬質面洗浄剤において、膜及び／又は縞模様のレベルを全体的に下げ、一方で抗菌効果を提供するには、水溶液の成分を適切に選択することが必要である。硬質面を処理するために、本明細書で記載されるように約７以下のｐＨと界面活性剤とを有する組成物と組み合わせてポリマービグアニドを使用すると、ポリマービグアニドによって目に見える膜又は縞模様の欠点は実質的に、好ましくは全く増加しない。理論に縛られるわけではないが、ポリマービグアニド化合物は、約７以下のｐＨでは本界面活性剤中で湿潤ポリマーとして作用すると考えられる。従って、ポリマービグアニドは親水剤として作用し、水性組成物を処理表面全体に均一に配置するのに役立つ。ポリマービグアニドは、処理された硬質面上に無色で均一な膜を形成して、組成物中のその他の成分に起因する縞模様及び／又は膜の形成を減少させたり隠したりする、又は、組成物中のその他の成分が膜及び縞模様の問題を引き起こさない場合には、処理された表面の光沢／つやを高めると考えられる。更に、ビグアニド化合物は、電荷を帯びた表面とあまり強力には相互作用しない。つまり、主な相互作用は、界面活性剤、溶媒（つまり、洗浄剤）、及び処理表面の間で起こる。その結果、ビグアニド化合物は、硬質面上に結合して膜及び縞模様を残す傾向が低い。この状況におけるポリマービグアニド物質の湿潤能力は、別の陽イオン性抗菌活性物質である四級アンモニウム界面活性剤が非常に弱い湿潤化合物であることを考えると、かなり驚くべきものがある。四級アンモニウム界面活性剤とは、Ｒ１Ｒ２Ｒ３Ｒ４Ｎ+の形態を有する全ての界面活性剤を意味し、式中、Ｒ１はＣ８〜Ｃ１８アルキル基、Ｒ２及びＲ３はＣ１〜Ｃ１８アルキル基、ベンジル基、又は置換ベンジル基であり、Ｒ４はメチル基である。このような物質は広く入手可能であり、Lonza CorporationやStepan Corporationから有効抗菌化合物として販売されている。四級アンモニウム化合物は水性媒体において疎水性の性質を示す。従って、これらの化合物は処理表面を非湿潤化する。これにより、不均一な洗浄や乾燥が起こり、水性組成物から水が蒸発した後で表面上に固体の望ましくない加速凝集が生じる。その結果、高いレベルで縞模様が形成される。更に、四級アンモニウム化合物は、ガラスやセラミックなどの負の電荷を帯びた表面と結合する、高い電荷を帯びた化学種である。これらの表面と結合した場合に除去するには、四級アンモニウム化合物（ｑｕａｔｓ）の除去用に陰イオン性界面活性剤などを含んだ第二の処理剤を使用しなければならない場合がある。これは非常に望ましくないことである。１回の洗浄作業では、四級アンモニウム界面活性剤が、負電荷を帯びた表面上に残留するであろう。本発明の組成物により提供される範囲内のポリマービグアニド化合物は、優れた湿潤剤であり、陰イオン性の表面と強力に結合しない。ポリマービグアニドの表面被膜はきれいで除去可能である。つまり、これは次回の洗浄実施時に容易に取り除かれ、置き換えられる。更に、ポリマーの親水性の性質が、次回の洗浄実施における床の湿潤化を助ける。垂直のタイル（浴室のシャワータイルなど）を洗浄するためにポリマービグアニドを使用する例では、組成物は水を非常に良好に「はじき」、むらなく洗浄又はタイルを容易に洗い流すことができる。
【００９３】
ポリマービグアニドを含まない同様の組成物と比較して、本発明のポリマービグアニドによる光沢向上の程度は、組み込まれるポリマーの濃度によって変わるであろう。ポリマーの濃度が上がると、光沢も増大する。本発明では、本発明の組成物が使用濃度で少なくとも約０．３％、より好ましくは少なくとも約０．５％のポリマービグアニドを含む場合、この組成物で未処理タイルの光沢を増大させることは比較的難しくないことを見いだした。正確な濃度は、洗浄工程で使用する洗浄用具の性質によって変化する。また、ポリマービグアニドを吸収する傾向のある洗浄用具によって、硬質面に堆積するポリマービグアニドの量も減少する。この洗浄用具の例としては、紐状セルロース洗浄用具及び帯状セルロース洗浄用具、並びにSwiffer Wet（登録商標）などの拭き取り用積層体がある。
【００９４】
表面が親水性の性質であっても、本発明の組成物の範囲内のポリマービグアニドは、四級アンモニウム界面活性剤に匹敵する強力な抗菌特性を有することが示されている。
【００９５】
本発明に従って、組成物は、後述される標準黒色光沢磁器タイルの光沢が最大限になるように選択される。本出願者は、ポリマービグアニド化合物が光沢の向上又は維持に役立つことを見いだした。より具体的には、ポリマービグアニド化合物を含む組成物の光沢値は、ポリマービグアニド化合物を含まない同成分の組成物の光沢値と同等か、それ以上である。更に驚くことに、本発明の組成物によって、洗浄済みの未処理タイルの光沢を保持又は向上させることができる。つまり、ポリマービグアニド化合物は、洗浄済みのタイルの光沢性を維持又は向上させる。
【００９６】
低残留界面活性剤、ｐＨが約７以下のローション、及びポリマービグアニド化合物を含む水性組成物は、硬質面を拭き取る時に、効果的な抗菌特性と膜及び縞模様の形成に関する優れた属性とを提供することがわかっている。つまり、本発明に従うと、低残留界面活性剤とポリマービグアニド化合物とを含む硬質面洗浄用酸性水性組成物は、従来の洗浄用具と共に使用することができる。この洗浄用具としては、スポンジ、布巾、紐状セルロース又は帯状セルロース、紙、市販のペーパータオル、ソフトパッド又は研磨パッド、ブラシなどがあるが、これらに限定されない。これらの洗浄用具は、任意選択的に、使いやすさを向上させ、適用範囲を広げるために、装置と組み合わせて使用することができる。ある用途では、組成物を濃縮製品としてボトルやその他の容器に詰め、洗浄用組成物として使用する前に、任意選択的にバケツ内において水で希釈する。特に好ましい実施形態では、水性組成物は、「モップ付きスプレー」製品の形態で提供される。この場合、本発明の液体組成物は、床に直接適用しやすいボトル又はその他の容器に詰め、床に適用する際は、組成物をスプレーし、従来型のモップやその他の洗浄装置を使って拭き取るのが好ましい。「モップ付きスプレー」キットは、ローションと洗浄装置とを含むセットパッケージとして、又は各ユーザーの要望に応じて装置や洗浄用布巾若しくはパッドと共に使用される液体洗浄溶液として販売してもよい。この組成物は、前記組成物を含む床用拭き取り用品の形態で包装及び販売してもよい。非常に好ましい別の実施形態では、本明細書の水性組成物を使い捨て吸収性洗浄パッドと共に使用する。
【００９７】
（水性組成物の包装形態）
本発明の水性組成物は、製品を適切に分配できるものであれば、どの容器に詰めることもできる。そのようなパッケージとしては、キャップ付きボトル、スプレーボトルなどがあるが、これらに限定されない。パッケージは、当該技術分野において既知のいかなる物質（プラスチックやガラスなど）からも作ることができる。
【００９８】
好ましい実施形態では、水性組成物をその他の洗浄用具及び／又は装置と組み合わせて販売する。例えば、組成物は、スポンジやスポンジモップと共に販売することができる。あるいは、組成物は、市販のペーパータオルや紐状モップ又は帯状モップとセット販売される。ある好ましい実施形態では、水性組成物をスプレーボトルに詰めたり、洗浄装置（モップ付きスプレー適用）とセット売り又はブランド提携させたりする。非常に好ましい実施形態では、本発明の水性組成物を使い捨て吸収性洗浄パッド及び／又は洗浄装置と共に包装する。そのようなパッドが、本発明の水性組成物の入った分配ボトルと組み合わせられ、任意選択的に洗浄装置と共に包装されたキットとして販売することもできる。後者の実施形態は、消費者が水性組成物の性能を全て活用できるように設計された、「スターターキット」として有利に市販及び販売できる。
【００９９】
（表面の洗浄方法）
好ましい実施形態では、本発明は表面、好ましくは硬質面を洗浄する方法を包含し、この方法は、本発明の水性組成物を前記表面に接触させる工程、好ましくは水性組成物で前記表面を拭き取る工程を含む。本出願の好ましい実施形態では、前記方法は、前記水性組成物を前記表面の一部、より好ましくは前記表面の汚れた部分に接触させる工程を含む。本明細書において「硬質面」とは、台所、浴室、又は車の内装若しくは外装のような、家庭において典型的に見られるいかなる種類の表面をも意味し、例えば、床、壁、タイル、窓、流し台、シャワー、プラスチックシャワーカーテン、洗面器、水洗トイレ、皿、家具什器などであり、これらは、セラミック、ビニル、ノーワックスビニル、リノリウム、メラミン、ガラス、あらゆるプラスチック、プラスチック木材、金属、又はいかなる塗装面又はニス塗装面又はシールド面などの異なる材料からも製造されている。硬質面は、冷蔵庫、冷凍庫、洗濯機、自動乾燥機、オーブン、電子レンジ、食器洗浄機などが挙げられるがこれらに限定されない家庭用器具も含む。
【０１００】
（テスト手順）
以下に記載の膜及び縞模様テスト手順により、本発明の組成物の効果を説明する。
【０１０１】
（従来型の洗浄用具（スポンジ）に関する膜及び縞模様）
（テスト用タイル）
Senio（イタリア、Tarroni 1 48012 Bagnacavallo (RA）にて）から入手した２０ｃｍ×２０ｃｍ×１ｃｍサイズのエクストラコンパ（登録商標）黒色光沢セラミックタイルをテスト表面として使用する。使用前にタイル表面を石鹸と水で洗浄する。次に、約５００ｍｌの蒸留水ですすぎ、ペーパータオル、好ましくはScott（登録商標）ペーパータオルなどの低結合剤のきれいなペーパータオルで拭いて乾燥させる。水５０％と２−プロパノール５０％の混合溶液約５ｍｌを注出ボトルからタイル表面に適用し、きれいなペーパータオルを使用してタイル全体を覆うように広げ、別のペーパータオルで拭いて乾燥させる。水／２−プロパノールによる処理を繰り返し、タイルを５分間風乾させる。テスト用タイルを水平な表面に置き、テスト前にセラミック表面を完全に露出させる。テスト製品で拭き始める前に、洗浄したタイルの光沢値を測定して記録する。測定はＢＹＫ−ガードナー社のガードナー・マイクロ−ＴＲＩ−グロス光沢測定器（登録商標）を６０°の角度に設定して実施する。この光沢測定器は、ＢＹＫ−ガードナー社から製造され、カタログ番号ＧＢ−４５２０で入手可能である。各タイルの光沢はタイルの四隅と中心部で分析的に測定し、測定値を平均する。テストは、再現性を確保するために、１つのテスト用タイルで合計３回繰り返す。
【０１０２】
（テスト用スポンジ）
本発明の水性組成物を有する従来型の装置の使用を例示するために、スポンジに以下のプロトコルを適用する。VWR Scientificから購入した１４ｃｍ×９ｃｍ×２．５ｃｍサイズのスポンジ（カタログ番号５８５４０−０４７）をそれぞれスポンジの幅に沿って３分の１の大きさに切り、従来の洗濯機と洗剤で洗浄した後、淡水を使用して洗濯機で３回洗浄し、スポンジの仕上げ剤を除去する。次に、スポンジを作業用煙霧フードで４８時間乾燥させる。風乾後の乾燥スポンジの寸法は、約９ｃｍ×４．５ｃｍ×２．５ｃｍである。乾燥したテスト用スポンジの重量を測定する（５±１ｇ）。次に、スポンジ１ｇ当たり２ｇの充填係数で蒸留水を加え、スポンジを湿潤させる。使い捨てピペットを使用して、湿らせたスポンジに３ｍｌのテスト製品を注ぐ。この際、スポンジの４つの大きな面（約１４ｃｍ×９ｃｍの面積）の１つ、好ましくは、目に見える孔の大きさが最も小さい面に均等にいきわたるようにテスト製品を注ぐ。
【０１０３】
（拭き取り手順）
手で掴んだ湿ったスポンジを、スポンジの全長（１４ｃｍ）がタイルの左上側に平行に配置されるように置き、左から右、右から左、左から右、右から左、左から右に動かして、タイルを拭き取る。この時、できる限りタイル全体を均一に覆うように、タイルの左上から右下に向かって動かす。拭き取る動きは上記のように端から端へ連続させ、最後の動きはタイルの末端部を通って完了する。拭き取り時間の合計は約３〜４秒である。
【０１０４】
その他の従来型の洗浄用具を使用するテストは、同様の方法で行うことができる。紙及び市販のペーパータオルを使って実験を行う際には、洗浄用具は予備湿潤させずに、直接タイルに処理を行う。従来型の洗浄用具はいずれも、本明細書に記載のスポンジと実質的に同様の長さ及び幅になるように構築される。
【０１０５】
（等級付け）
等級付けはタイルを拭き取ってから３０分以内に実施する。各テスト製品（含侵ローションから成る）に対し、上記の拭き取り手順を５回実施する。タイルを周囲条件（４０〜５０％の相対的湿度で２０〜２５℃）で風乾させた後、等級付けを行う。目視等級と光沢測定器による測定値を使用して、タイルを等級付けする。光沢測定器による測定では膜の形成を分析的に評価できるが、目視等級は縞模様やしみのある領域を確認するために人間の視覚の鋭敏さを有効に利用するので、二組の測定が選択される。２つの等級を相補的に考察すると、通常、同じ傾向を示す。目視等級は、テストされる具体的な製品の正体を知らない５人の熟練した試験者により実施される。目視等級は０〜４の尺度を使用して実施される。この時、４は非常に縞模様／膜が多いことを意味し、０は縞模様／膜が全くないことを示す。タイルの残留物は、ＢＹＫ−ガードナー社のガードナー・マイクロ−ＴＲＩ−グロス光沢測定器（登録商標）を６０°の角度に設定して分析的に測定される。この光沢測定器は、ＢＹＫ−ガードナー社により製造され、カタログ番号ＧＢ−４５２０として入手可能である。タイルを乾燥（周囲条件で風乾）させた後、各タイルの光沢を光沢測定器を使用してタイルの四隅と中心部で分析的に測定し、測定値を平均する。テストされた３枚のタイルのそれぞれの平均値を計算した後、これらの平均値を平均する。この「平均値の平均」を、先に洗浄したタイルで計算した「平均値の平均」と比較する；１５個の光沢値全てを使用して、光沢の損失（増大）の標準偏差を求める。この時、記録した各光沢測定値は、洗浄済みタイルと処理済みタイルとの差（平均値δ）に相当する。タイルの全体的な外観は、タイル上の縞模様の量と膜の量の両方に左右されるであろう。
【０１０６】
（使い捨て吸収性洗浄パッドに関する膜及び縞模様）
（テスト用タイル）
テスト用タイルは、「従来型の洗浄用具（スポンジ）に関する膜及び縞模様」の項に従って用意する。
【０１０７】
（テスト用パッド）
パッドは、米国で「Swiffer WETJET（登録商標）」として市販されているものを使用する。テストの目的上、バッドをその幅に沿って１１．５×１４．５ｃｍの大きさに切断し、上記の２０ｃｍ×２０ｃｍ×１ｃｍの寸法を有するタイルを洗浄するために効率的に使用できるように縮小する。パッドの縁部を切断した後、超吸収性ポリマーが浸出するのを防ぐために、両面テープでパッドをふさぐ。次に、モップヘッド付きのハンドルにパッドを取り付ける。この装置のヘッドは、「Swiffer（登録商標）」として販売されている装置などを使用して作ることができ、ヘッド部だけ取り出して１０．５×１１．５ｃｍに切断する（従って、本実験に使用するために小さくしたパッドと適合するように、小型の装置を作る）。テープ又はベルクロを使用してパッドをSwiffer（登録商標）小型装置に取り付けることができる。
【０１０８】
（拭き取り手順）
拭き取る前に、使用説明書に従ってWETJET（登録商標）パッドのフラップを開く。ピペットを使用して、３ｍｌのテスト溶液をタイルの下方（下端より３ｍｍ上方）に注ぎ、均等にいきわたるようにタイル全幅に沿って溶液を広げる。次に、タイルの左下隅にある溶液の上に、WETJET（登録商標）パッドを備える装置を置き、左から右、右から左という、中断しない重なり合う拭き取り動作を５回繰り返して、テスト用タイルの表面を完全に拭き取る。拭き取る動きは上記のように端から端へ連続させ、最後の動きはタイルの末端部を通って完了する。最後の拭き取り動作でタイルの端に達した際に、WETJET（登録商標）パッドの先端上のフラップを表面に接触させ、縁部にある溶液を伸ばすことが重要である。テストは、再現性を確保するために、１つのテスト用タイルで合計３回繰り返す。溶液の新しいアリコート３ｍｌを各テスト用タイルに適用するが、全てのテストで同じパッドを使用する（パッドは複数のタイルを洗浄するのに十分な耐久性を有する）。拭き取り時間は、１タイル当たり約５秒である。
【０１０９】
（実験データ及び実施例）
以下の実施例では本発明に基づいた方法で使用する組成物を例示することを意図するが、必ずしも本発明の範囲を限定又は制限するものではない。水性組成物は、表示成分を表示割合で混合して作られ、均一な混合物を形成させる（特に記載がない限り、溶液重量％）。
【０１１０】
Ａ〜Ｐの水性組成物は、一般的な洗浄用スポンジと共に使用するものであり、界面活性剤とポリマービグアニドとを含まない基材製品から調製される。これらの基材製品は、０．０５％のＣ１２〜１４ＥＯ２１、０．５％のクエン酸、２％のプロピレングリコールｎ−ブチルエーテル（Dowanol PnB（登録商標））、８％のエタノール、及び０．１％の香料、並びに界面活性剤とポリマー／抗菌剤のための孔を除いて１００％になる残りの水を含む。次に、界面活性剤とポリマー／抗菌剤とを基材製品に組み込む。組成物Ａ〜ＰのｐＨは約２．５である。
【０１１１】
組成物Ｑ〜Ｘは、床の洗浄用途を説明するために、使い捨て吸収性パッドと共に使用するものである。これらの組成物は、界面活性剤とポリマービグアニドとを含まない基材製品から調製される。これらの基材製品は、０．１２５％のクエン酸（組成物Ｗ及びＸは除く）、２％のプロピレングリコールｎ−ブチルエーテル（Dowanol PnB（登録商標））、及び０．０５％の香料、並びに界面活性剤（０．０３％）とポリマー／抗菌剤（存在する場合は、０．０５％）のための孔を除いて１００％になる残りの水を含む。次に、界面活性剤とポリマー／抗菌剤とを基材製品に組み込む。組成物Ｑ〜ＶのｐＨは約２．５；組成物Ｗ及びＸのｐＨは約６である。
【０１１２】
組成物ＡＡ〜ＡＨは、本発明の範囲内においてヒドロキシル基が少なくとも１つ含まれる有機酸の効果を説明している。これらの組成物の基材製品は０．２２％のＣ１２〜１４スルホベタイン、０．０５％のＣ１２〜１４ＥＯ２１、０．５％の酸性化剤（低濃度の無機酸が使用されている処理ＡＧ及びＡＨは除く）、２％のプロピレングリコールＮ−ブチルエーテル（Dowanol PnB）、８％のエタノール、及び０．１％は香料、並びにポリマービグアニドのための孔を除いて１００％になる残りの水を含む。組成物ＡＡ〜ＡＨのｐＨは約２．５である。
【０１１３】
（従来型の洗浄用具（スポンジ）と共に使用する組成物）
【０１１４】
【表１】
2005505657.tif 000003
【０１１５】
【表２】
2005505657.tif 000004
【０１１６】
【表３】
2005505657.tif 000005
＊ココアミドプロピルスルホベタインは、Rewoteric CAS 15-U（登録商標）という商品名で、Goldschmidtが製造している。
＊＊アルキルポリグルコシドは、Plantaren 2000（登録商標）という商品名で、Cognisが製造している。
＊＊＊Ｃ１２〜１６ジメチルベタインは、Empigen BB/L（登録商標）という商品名で、Albright & Wilsonが製造している。
＊＊＊＊アルキルエトキシレート（６）は、Neodol 91-6（登録商標）という商品名で、Shell Chemicalが製造している。
（Ｖ＊）Ｎ−ココナッツ脂肪酸アミドエチルＮ−ヒドロキシエチルアミノプロピオン酸、ナトリウム塩は、Rewoteric AM KSF 40（登録商標）という商品名で、Degussa-Goldschmidtが製造している。
†ポリ（ヘキサメチレンビグアニド）は、Vantocil IB（登録商標）という商品名で、Aveciaが製造している。
‡アルキルジメチルベンジル塩化アンモニウムは、Barquat 4280（登録商標）という商品名で、Lonzaが製造している。
【０１１７】
▽二酸（アジピン、グルタル、コハク）は、Rhodiaが市販用混合物として製造している。
【０１１８】
（使い捨て吸収性洗浄パッドと共に使用する組成物）
【０１１９】
【表４】
2005505657.tif 000006
＊ココアミドプロピルスルホベタインは、Rewoteric CAS 15-U（登録商標）という商品名で、Goldschmidtが製造している。
＊＊アルキルポリグルコシドは、Plantaren 2000（登録商標）という商品名で、Cognisが製造している。
†ポリ（ヘキサメチレンビグアニド）は、Vantocil IB（登録商標）という商品名で、Aveciaが製造している。
‡アルキルジメチルベンジル塩化アンモニウムは、Barquat 4280（登録商標）という商品名で、Lonzaが製造している。
【０１２０】
（膜及び縞模様の形成に関する実験結果）
下記のデータは、光沢測定器による測定と目視等級とについて表にしたものである。実験の項で示したとおり、光沢測定器による測定値（平均処理後値δ）は、本明細書の実験用組成物で処理されたタイルの光沢値と、前記タイルに対応する洗浄済みの未処理タイルの光沢値との差を算出したものである。洗浄済みの全てのタイルでは、６０°の角度における光沢値は９１〜９４である。測定値の差として、光沢の損失（増大）を算出する。正数は、光沢の損失を意味する。（）で囲まれた数字は負数であり、光沢の増大を意味する。処理を施したことで生じた未処理タイルに対する光沢の平均損失値（増大値）（平均処理後値δ）と、関連する統計的有意性を算出する。また、ＰＨＭＢを加えることにより発生するタイルの平均光沢値（増大値）（平均値δ（ＰＨＭＢを加えた場合の平均値−ＰＨＭＢの含まれていない場合の平均値））と、関連する統計的有意性も報告する。更に、四級アンモニウム界面活性剤により発生するタイルの平均光沢値（増大値）に対する、ポリ（ヘキサメチレンビグアニド）により発生するタイルの平均光沢値（増大値）（平均値δ（ＰＨＭＢを加えた場合の平均値−Ｑｕａｔを加えた場合の平均値））と、統計的有意性も報告する。
【０１２１】
これらのテストでは、試料の片側検定及びペアワイズによる統計処理を使用して、９５％の信頼水準（α＝０．０５）で統計的有意性を決定する。全ての試料が、均等分散で正規分布が示されるものと考えられる。生データを使用してｔ統計値を算出し、ｔ棄却限界値の統計と比較する。算出されたｔ検定値がｔ棄却限界値を超える場合、試料には「有意差がある」ことになる。算出されたｔ検定値がｔ棄却限界値未満の場合には、試料には「有意」差がないことになる。有意性の指針は、平均差（即ち、「平均処理後値δ」、「平均値δ（ＰＨＭＢを加えた場合の平均値−ＰＨＭＢの含まれていない場合の平均値）」、又は「平均値δ（ＰＨＭＢを加えた場合の平均値−Ｑｕａｔを加えた場合の平均値）」）の表れによって決まる。例えば、ある処理の処理後平均光沢値が未処理タイルの平均光沢値よりも高く、算出されたｔ検定値がｔ棄却限界値を上回る場合には、９５％の信頼水準（α＝０．０５）で、その処理の光沢値が未処理タイルよりも大幅に高いことをデータから読み取ることができる。従属的な一対の試料（平均処理後値δ）と非従属的な一対の試料（（ＰＨＭＢを加えた場合の平均値−ＰＨＭＢの含まれていない場合の平均値又は平均値δ（ＰＨＭＢを加えた場合の平均値−Ｑｕａｔを加えた場合の平均値））の統計処理は、「Statistics for Business and Economics」第６版（Anderson、Sweeney、Williams著、West Publishing Companyより１９９６年に出版）に記載されており、この文献は本明細書に参考として組み込まれる。これらの統計は、Microsoft Excel（商標）の統計機能を使えば、簡単に行うことができる。
【０１２２】
縞模様の等級は、５人の熟練した試験者を採用して０〜４の目視等級で表す。平均等級と標準偏差を算出する。縞模様の目視等級における差の有意性は、光沢測定機器テストの場合と同じように決定する。
【０１２３】
【表５】
2005505657.tif 000007
【０１２４】
【表６】
2005505657.tif 000008
【０１２５】
【表７】
2005505657.tif 000009
【０１２６】
【表８】
2005505657.tif 000010
【０１２７】
（膜及び縞模様の形成に関するデータの解説）
（スポンジ）
組成物Ａ〜Ｆでは、ビグアニドが含まれていない組成物、及びポリマービグアニドの代わりに四級アンモニウム界面活性剤が同量含まれている組成物とは対照的に、ポリマービグアニドが含まれている組成物により提供される、膜及び縞模様の形成に関する効果が示されている。光沢測定器の測定値による、又は訓練された専門検査官による分析的な測定によると、それぞれの場合において、四級アンモニウム界面活性剤を含まない組成物と比べて、四級アンモニウム界面活性剤は、膜及び縞模様の形成に関する特性にかなりの悪影響を及ぼすことがわかる（処理Ａ及びＤに対して得られた膜／縞模様の形成に関する結果と、処理Ｃ及びＦに対して得られた膜／縞模様の形成に関する結果を比較のこと）。更に、ポリマービグアニドを含む組成物（処理Ａ及びＤ）では、未処理タイルの光沢値が大きく向上し、ポリマービグアニドを含まない組成物を大きく改善している。
【０１２８】
また、低残留界面活性剤を組み込む処理Ｈ及びＬでも、未処理タイルの光沢値の向上が見られるが、この向上の直接の原因は、組成物にＰＨＭＢが含まれていることである（処理ＨとＧ、及び処理ＬとＧの光沢測定値及び専門家による等級の結果を比較のこと）。
【０１２９】
処理Ｊには低残留界面活性剤が含まれていないので、未処理タイルの光沢値を向上させない。ただし、ＰＨＭＢの量を（１％に）増やすと、光沢値が向上することに留意すべきである（処理Ｉ、Ｊ及びＯを比較のこと）。
【０１３０】
組成物Ｍ〜Ｐでは、ＰＨＭＢ濃度を高くした場合のタイル光沢に対する影響が示されている。ＰＨＭＢが１％含まれているこれらの組成物では、ＰＨＭＢが０．３％含む処理Ｂ、Ｈ、Ｊ及びＬ、並びにＰＨＭＢを全く含まない処理Ａ、Ｇ、Ｉ及びＫに比べて、光沢値が向上している。ただし、光沢測定器で測定された光沢値が向上したからといって、目視等級も向上したとは解釈されない。前記データによって、分析上は光沢値が向上したにもかかわらず、目視等級における収穫逓減点が示されている。
【０１３１】
組成物Ｄ、Ｅ、及びＡＡ〜ＡＨでは、本発明の範囲内の酸の使用能力が示されている。有機酸及び無機酸を含む組成物ではいずれも、ポリマービグアニドの光沢及び目視等級における効果が示されている（ＥとＤ、ＡＢとＡＡ、ＡＤとＡＣ、ＡＦとＡＥ、並びにＡＨとＡＧの膜／縞模様の形成に関する結果を比較のこと）。
【０１３２】
（使い捨て吸収性洗浄パッド）
床の洗浄用途にSwiffer Wet Jet（商標）パッドを使用した例（Ｑ〜Ｘ）の場合、ＰＨＭＢを含む製品の方が、ＰＨＭＢを含まない同質の製品よりも光沢及び目視等級の有益な傾向を示す。従って、処理Ｒ及びＵ（ＰＨＭＢが含まれている）の光沢保持平均値（平均値δ）及び目視等級平均値は、 処理Ｑ及びＴ（ＰＨＭＢが含まれていない）よりも高い。最後に、ＰＨＭＢを含む製品Ｒ及びＵの光沢平均値及び目視等級平均値は、ＰＨＭＢの代わりに四級アンモニウム抗菌剤（処理Ｓ及びＶ）を組み込む同質の製品を大きく上回っている。また、製品Ｗ及びＸでは、酸性化剤がない場合のＰＨＭＢの効果が示されている。処理Ｘでは、処理Ｗよりも光沢値及び目視等級が大きい。
【国際公開パンフレット】
2005505657.tif 000011
2005505657.tif 000012
2005505657.tif 000013
2005505657.tif 000014
2005505657.tif 000015
2005505657.tif 000016
2005505657.tif 000017
2005505657.tif 000018
2005505657.tif 000019
2005505657.tif 000020
2005505657.tif 000021
2005505657.tif 000022
2005505657.tif 000023
2005505657.tif 000024
2005505657.tif 000025
2005505657.tif 000026
2005505657.tif 000027
2005505657.tif 000028
2005505657.tif 000029
2005505657.tif 000030
2005505657.tif 000031
2005505657.tif 000032
2005505657.tif 000033
2005505657.tif 000034
2005505657.tif 000035
2005505657.tif 000036
2005505657.tif 000037
2005505657.tif 000038
2005505657.tif 000039
2005505657.tif 000040
2005505657.tif 000041
2005505657.tif 000042
2005505657.tif 000043
2005505657.tif 000044
2005505657.tif 000045
2005505657.tif 000046
2005505657.tif 000047
2005505657.tif 000048
2005505657.tif 000049
2005505657.tif 000050
2005505657.tif 000051
2005505657.tif 000052
2005505657.tif 000053
2005505657.tif 000054
2005505657.tif 000055
2005505657.tif 000056
2005505657.tif 000057
2005505657.tif 000058
2005505657.tif 000059
【国際調査報告】
2005505657.tif 000060
2005505657.tif 000061
2005505657.tif 000062